(57)【特許請求の範囲】
【請求項１】
光源と、
前記光源から出射された光を受ける第１側面と、前記第１側面に対向する第２側面と、前記第１側面と前記第２側面との間に位置し互いに対向する第３側面および第４側面と、前記第１、第２、第３および第４側面を介して互いに対向する出射面および対向面とを有する導光板とを備え、
前記導光板は、それぞれが前記出射面の法線方向に所定の厚さを有する第１導光層および第２導光層から構成され、
前記第１導光層は、前記第１側面から前記導光板の内部に入射した光を前記出射面に向けて反射する反射膜をその内部に複数有しており、
前記第２導光層は、反射膜を有していない、照明装置であって、
前記導光板は、第１導光体と、第２導光体と、前記第１導光体と前記第２導光体との間に設けられた接着層とが、前記出射面の法線方向に沿って積層されて形成されており、
前記第１導光体の前記接着層側の表面は、前記出射面に対して傾斜した傾斜領域を複数有し、
前記反射膜は、前記表面の前記傾斜領域に形成されており、
前記第１導光体の前記接着層側の前記表面は、さらに、前記出射面に対して略垂直な垂直領域および前記出射面に対して略平行な平行領域を複数有し、
前記第１導光体の前記接着層側の前記表面は、前記導光板の前記出射面近傍に位置し、前記平行領域は、前記傾斜領域よりも前記出射面側に位置する、照明装置。
【請求項２】
光源と、
前記光源から出射された光を受ける第１側面と、前記第１側面に対向する第２側面と、前記第１側面と前記第２側面との間に位置し互いに対向する第３側面および第４側面と、前記第１、第２、第３および第４側面を介して互いに対向する出射面および対向面とを有する導光板とを備え、
前記導光板は、それぞれが前記出射面の法線方向に所定の厚さを有する第１導光層および第２導光層から構成され、
前記第１導光層は、前記第１側面から前記導光板の内部に入射した光を前記出射面に向けて反射する反射膜をその内部に複数有しており、
前記第２導光層は、反射膜を有していない、照明装置であって、
前記導光板は、第１導光体と、第２導光体と、前記第１導光体と前記第２導光体との間に設けられた接着層とが、前記出射面の法線方向に沿って積層されて形成されており、
前記第１導光体の前記接着層側の表面は、前記出射面に対して傾斜した傾斜領域を複数有し、
前記反射膜は、前記表面の前記傾斜領域に形成されており、
前記第１導光体の前記接着層側の前記表面は、さらに、前記出射面に対して略垂直な垂直領域および前記出射面に対して略平行な平行領域を複数有し、
前記第１導光体の前記接着層側の前記表面は、前記導光板の前記対向面近傍に位置し、前記平行領域は、前記傾斜領域よりも前記対向面側に位置する、照明装置。
【請求項３】
前記反射膜の接線が前記出射面となす角αと、前記導光板の臨界角θとが、４５°−θ／２＜α＜４５°＋θ／２の関係を満足する、請求項１または２に記載の照明装置。
【請求項４】
前記反射膜の接線が前記出射面となす角αと、前記導光板の臨界角θとが、θ＜α＜４５°＋θ／２の関係を満足する、請求項１から３のいずれかに記載の照明装置。
【請求項５】
前記導光板の光透過率は、８５％以上である請求項１から４のいずれかに記載の照明装置。
【請求項６】
前記反射膜を前記出射面に射影した面積Δｓの総和ΣΔｓと、前記反射膜の反射率ｒと、前記導光板の前記出射面の面積Ｓとが、０＜（ΣΔｓ／Ｓ）・ｒ≦０．０８の関係を満足する、請求項１から４のいずれかに記載の照明装置。
【請求項７】
前記反射膜は、前記出射面の法線方向から見た形状が線状に形成されている請求項１から６のいずれかに記載の照明装置。
【請求項８】
前記反射膜は、前記出射面の法線方向から見た形状が島状に形成されている請求項１から６のいずれかに記載の照明装置。
【請求項９】
前記反射膜は、透明な誘電体膜または誘電体多層膜である、請求項１から８のいずれかに記載の照明装置。
【請求項１０】
前記第１側面から前記導光板の内部に入射した光の主光線の前記誘電体膜または前記誘電体多層膜に対する入射角をβとするとき、
前記主光線の前記誘電体膜または前記誘電体多層膜に対する屈折角γ、前記誘電体膜または前記誘電体多層膜の厚さｄ、前記誘電体膜または前記誘電体多層膜の屈折率ｎ、および前記第１導光層の屈折率ｎ0が、３８０／（４ｎ・ｃｏｓγ）≦ｄ≦７８０／（４ｎ・ｃｏｓγ）およびｎ0・ｓｉｎβ＝ｎ・ｓｉｎγの関係を満足する、請求項９に記載の照明装置。
【請求項１１】
前記第１導光体と前記接着層とは、互いに屈折率がほぼ等しい、請求項１から１０のいずれかに記載の照明装置。
【請求項１２】
前記第２導光体は、前記第１導光体に対して観察者側に配置され、透明入力装置としても機能する、請求項１から１１のいずれかに記載の照明装置。
【請求項１３】
請求項１から１２のいずれかに記載の照明装置と、前記照明装置の前記導光板に対して観察者とは反対側に設けられた反射型表示パネルとを備える表示装置。
【請求項１４】
光源から出射された光を受ける第１側面と、前記第１側面に対向する第２側面と、前記第１側面と前記第２側面との間に位置し互いに対向する第３側面および第４側面と、前記第１、第２、第３および第４側面を介して互いに対向する出射面および対向面とを有する導光板であって、
それぞれが前記出射面の法線方向に所定の厚さを有する第１導光層および第２導光層から構成され、
前記第１導光層は、前記第１側面から前記導光板の内部に入射した光を前記出射面に向けて反射する反射膜をその内部に複数有しており、
前記第２導光層は、反射膜を有しておらず、
前記導光板は、第１導光体と、第２導光体と、前記第１導光体と前記第２導光体との間に設けられた接着層とが、前記出射面の法線方向に沿って積層されて形成されており、
前記第１導光体の前記接着層側の表面は、前記出射面に対して傾斜した傾斜領域を複数有し、
前記反射膜は、前記表面の前記傾斜領域に形成されており、
前記第１導光体の前記接着層側の前記表面は、さらに、前記出射面に対して略垂直な垂直領域および前記出射面に対して略平行な平行領域を複数有し、
前記第１導光体の前記接着層側の前記表面は、前記導光板の前記出射面近傍に位置し、前記平行領域は、前記傾斜領域よりも前記出射面側に位置する、導光板。
【請求項１５】
光源から出射された光を受ける第１側面と、前記第１側面に対向する第２側面と、前記第１側面と前記第２側面との間に位置し互いに対向する第３側面および第４側面と、前記第１、第２、第３および第４側面を介して互いに対向する出射面および対向面とを有する導光板であって、
それぞれが前記出射面の法線方向に所定の厚さを有する第１導光層および第２導光層から構成され、
前記第１導光層は、前記第１側面から前記導光板の内部に入射した光を前記出射面に向けて反射する反射膜をその内部に複数有しており、
前記第２導光層は、反射膜を有しておらず、
前記導光板は、第１導光体と、第２導光体と、前記第１導光体と前記第２導光体との間に設けられた接着層とが、前記出射面の法線方向に沿って積層されて形成されており、
前記第１導光体の前記接着層側の表面は、前記出射面に対して傾斜した傾斜領域を複数有し、
前記反射膜は、前記表面の前記傾斜領域に形成されており、
前記第１導光体の前記接着層側の前記表面は、さらに、前記出射面に対して略垂直な垂直領域および前記出射面に対して略平行な平行領域を複数有し、
前記第１導光体の前記接着層側の前記表面は、前記導光板の前記対向面近傍に位置し、前記平行領域は、前記傾斜領域よりも前記対向面側に位置する、導光板。
【発明の詳細な説明】
【０００１】
【発明の属する技術分野】
本発明は、導光板、照明装置およびそれを備えた表示装置に関し、特に、反射型液晶表示装置のフロントライトとして好適に用いられる導光板、照明装置およびそれを備えた表示装置に関する。
【０００２】
【従来の技術】
近年、液晶表示装置は、薄型で低消費電力であるという特徴を生かして、ワードプロセッサやパーソナルコンピュータなどのＯＡ機器、電子手帳などの携帯情報機器、あるいは液晶モニターを備えたカメラー体型ＶＴＲなどに広く用いられている。
【０００３】
これらの液晶表示装置は反射型と透過型に大別される。液晶表示装置は、ＣＲＴ（ブラウン管）やEL（エレクトロルミネッセンス）などの自発光型の表示装置ではなく、透過型は、液晶表示パネルの背後に配置された照明装置（いわゆるバックライト）の光を用いて表示を行い、反射型は、周囲光を用いて表示を行っている。
【０００４】
反射型液晶表示装置のなかには、十分な強度の周囲光が得られない場合の表示品位を向上するための照明装置を備えたものが知られており、この照明装置は、透過型液晶表示装置の照明装置が「バックライト」と称されるのに対して、「フロントライト」と称される。
【０００５】
上述のバックライトやフロントライトとして、従来から種々の照明装置が提案されており、例えば、特開平８−９４８４４公報は、バックライトおよびフロントライトとして図３８に模式的に示す照明装置４００を開示している。以下、図３８を参照しながら、この照明装置４００をフロントライトとして備える反射型液晶表示装置４５０の構成を説明する。
【０００６】
反射型液晶表示装置４５０は、反射型液晶表示パネル４３０と、反射型液晶表示パネル４３０の観察者側に配置された照明装置（フロントライト）４００とを有している。照明装置４００は、光源４１０と、導光板４２０とを有しており、光源４１０を囲むように反射部材４１２が設けられている。
【０００７】
導光板４２０は、光源４１０側の第１側面（入射側面）４２２ａと、第１側面４２２ａに対向する第２側面（対向側面）４２２ｂと、第１側面４２２ａと第２側面４２２ｂとの間に位置し互いに対向する第３側面および第４側面（いずれも不図示）と、光源４１０から入射した光を出射する出射面４２２ｃと、出射面４２２ｃに対向する対向面４２２ｄとを有している。導光板４２０の出射面４２２ｃ側に反射型液晶表示パネル４３０が配置される。対向面４２２ｄは、伝搬面４２２ｄ１と反射面４２２ｄ２とを有し、鋸歯状の断面形状を有する。
【０００８】
光源４１０から出射され第１側面４２２ａから導光板４２０内部に入射した光は、伝搬面４２２ｄ１と出射面４２２ｃとで全反射を繰り返しながら、第２側面４２２ｂに向けて伝搬する。導光板４２０内部を伝搬する光の一部は、反射面４２２ｄ２で反射され、出射面４２２ｃから反射型液晶表示パネル４３０に向けて出射される。反射型液晶表示パネル４３０によって反射された光は、出射面４２２ｃから再び導光板４２０に入射し、導光板４２０を通過した後、対向面４２２ｄから観察者側に出射され、表示に用いられる。
【０００９】
また、特開平１０−２６８３０７号公報は、フロントライトとして図３９（ａ）に模式的に示す照明装置５００を開示している。以下、図３９（ａ）を参照しながら、この照明装置５００をフロントライトして備える反射型液晶表示装置５５０の構成を説明する。
【００１０】
反射型液晶表示装置５５０は、反射型液晶表示パネル５３０と、反射型液晶表示パネル５３０の観察者側に配置された照明装置（フロントライト）５００とを有している。照明装置５００は、光源５１０と、導光板５２０とを有している。光源５１０を囲むように、反射部材５１２が設けられており、光源５１０と導光板５２０との間には、集光手段５１３が設けられている。
【００１１】
導光板５２０は、光源５１０側の入射側面５２０ａと、反射型液晶表示パネル５３０側に配置された出射面５２０ｂと、観察者側に配置され出射面に対向する対向面５２０ｃと、入射側面、出射面および対向面を介して互いに対向する第１側面および第２側面（いずれも不図示）とを有している。導光板５２０は、入射側面５２０ａから遠ざかるにつれて出射面５２０ｂと対向面５２０ｃとの間隔が狭くなる楔型の形状を有しており、出射面５２０ｂおよび対向面５２０ｃに垂直な方向に沿った断面の形状は、三角形である。また、入射側面５２０ａは、出射面５２０ｂの法線に対して傾斜して配置され、入射側面５２０ａと出射面５２０ｂとは鈍角をなしている。
【００１２】
光源５１０から出射され入射側面５２０ａから導光板５２０内に入射した光は、導光板５２０内部を伝搬する。導光板５２０内部を伝搬する光のうち、出射面５２０ａにおける全反射条件を満たさない光が、出射面５２０ｂから反射型液晶表示パネル５３０に向けて出射される。反射型液晶表示パネル５３０によって反射された光は、出射面５２０ｂから再び導光板５２０に入射し、導光板５２０を通過した後、対向面５２０ｃから観察者側に出射され、表示に用いられる。
【００１３】
さらに、特開平１０−２６８３０７号公報は、フロントライトとして図３９（ｂ）に模式的に示す照明装置５００’を備える反射型液晶表示装置５５０’を開示している。反射型液晶表示装置５５０’は、導光板５２０の出射面５２０ｂ側に光進行方向制御手段５２４を有している点において反射型液晶表示装置５５０と異なる。反射型液晶表示装置５５０’においては、導光板５２０ｂの出射面５２０ｂ側に光進行方向制御手段５２４が設けられているので、出射面５２０ｂから出射された光は、光進行方向制御手段５２４を通過することによって、出射面５２０ｂの法線方向に近くなるように進行方向を変えられる。
【００１４】
【発明が解決しようとする課題】
しかしながら、上述の公報に開示されている照明装置には、以下の問題があることを本願発明者は見出した。
【００１５】
上述の特開平８−９４８４４公報に開示されている照明装置４００においては、導光板４２０の対向面４２２ｄに伝搬面４２２ｄ１と反射面４２２ｄ２とからなる凹凸が形成されているので、この凹凸が破損したり、この凹凸に異物が付着したりすることによって、照明光に悪影響が及ぼされ、液晶表示装置の表示品位が低下する。照明装置４００がフロントライトとして用いられる場合、対向面４２２ｄが観察者側に配置されるので、凹凸の破損や凹凸への異物の付着が特に発生しやすく、図３８に示したような、照明装置４００をフロントライトとして備える反射型液晶表示装置４５０において、表示品位の低下は顕著である。
【００１６】
上述の凹凸の破損や凹凸への異物の付着を防止するために、図４０（ａ）に模式的に示す、三洋電機株式会社製の携帯端末（ＲＺ−Ｊ９０）に搭載されている表示装置６００においては、導光板６２０の前面（観察者側）に保護板６３０が設けられている。
【００１７】
また、図４０（ｂ）に模式的に示すシャープ株式会社製の携帯端末（ＭＩ−３１０）に搭載されている表示装置７００のように、導光板７２０の前面（観察者側）にタッチパネル７３０が配置されていると、このタッチパネル７３０が上述の保護板としての機能を果たす。タッチパネル７３０は、典型的には、透明導電膜からなる下部電極７３２とスペーサ７３８とを有する下部電極基板７３１と、透明導電膜からなる上部電極７３４を有する上部電極フィルム７３６とが、接着部７３３を介して貼り合わされた構成を有する。このタッチパネル７３０においては、上部電極フィルム７３６を押圧することによる変形に応じて、上部電極７３４と下部電極７３２とが導通し、情報が入力される。
【００１８】
しかしながら、上述のように導光板の前面に保護板やタッチパネルを設けると、保護板やタッチパネルの表面反射によって表示装置の表示品位が低下するという問題がある。また、導光板の前面に保護板やタッチパネルを設けると、表示装置が厚型化するという問題もある。
【００１９】
一方、上述の特開平１０−２６８３０７号公報に開示されている照明装置５００においては、導光板５２０の表面に凹凸が形成されていないので、凹凸の欠損などによって照明光に悪影響がおよぼされることがない。
【００２０】
しかしながら、この照明装置５００においては、出射面５２０ｂから出射される光は、出射面５２０ｂに対して垂直に出射しないので、反射型液晶表示パネル５３０を有効に照明することができない。出射面５２０ｂと対向面５２０ｃとのなす角を大きくすることによって、出射する光の進行方向を出射面５２０ｂの法線方向に近づけることができるが、導光板５２０の厚さが厚くなるので、表示装置が厚型化する。
【００２１】
また、上述の特開平１０−２６８３０７号公報に開示されている照明装置５００’においては、光進行方向制御手段５２４が設けられていることによって、出射面５２０ｂから出射する光の進行方向を出射面５２０ｂの法線方向に近くすることが可能となるが、このような光進行方向制御手段５２４を設けると、反射型液晶表示パネル５３０から出射された光が、光進行方向規制手段５２４を通過することによって、その進行方向を変えられてしまう。そのため、照明装置５００’を備える反射型液晶表示装置５５０’は、有効に画像を表示することができない。
【００２２】
本発明は、上述の問題に鑑みてなされたものであり、その目的は、信頼性の高い導光板、照明装置およびそれを備える表示装置を提供することにある。
【００２３】
【課題を解決するための手段】
本発明による照明装置は、光源と、前記光源から出射された光を受ける第１側面と、前記第１側面に対向する第２側面と、前記第１側面と前記第２側面との間に位置し互いに対向する第３側面および第４側面と、前記第１、第２、第３および第４側面を介して互いに対向する出射面および対向面とを有する導光板とを備え、前記導光板は、それぞれが前記出射面の法線方向に所定の厚さを有する第１導光層および第２導光層から構成され、前記第１導光層は、前記第１側面から前記導光板の内部に入射した光を前記出射面に向けて反射する反射膜をその内部に複数有しており、前記第２導光層は、反射膜を有しておらず、そのことによって上記目的が達成される。
【００２４】
前記反射膜の接線が前記出射面となす角αと、前記導光板の臨界角θとが、４５°−θ／２＜α＜４５°＋θ／２の関係を満足することが好ましい。
【００２５】
前記反射膜の接線が前記出射面となす角αと、前記導光板の臨界角θとが、θ＜α＜４５°＋θ／２の関係を満足することが好ましい。
【００２６】
前記導光板の光透過率は、８５％以上であることが好ましい。
【００２７】
前記反射膜を前記出射面に射影した面積Δｓの総和ΣΔｓと、前記反射膜の反射率ｒと、前記導光板の前記出射面の面積Ｓとが、０＜（ΣΔｓ／Ｓ）・ｒ≦０．０８の関係を満足することが好ましい。
【００２８】
前記反射膜は、前記出射面の法線方向から見た形状が線状に形成されていてもよい。
【００２９】
前記反射膜は、前記出射面の法線方向から見た形状が島状に形成されていてもよい。
【００３０】
前記反射膜は、透明な誘電体膜または誘電体多層膜であってもよい。
【００３１】
前記第１側面から前記導光板の内部に入射した光の主光線の前記誘電体膜または前記誘電体多層膜に対する入射角をβとするとき、前記主光線の前記誘電体膜または前記誘電体多層膜に対する屈折角γ、前記誘電体膜または前記誘電体多層膜の厚さｄ、前記誘電体膜または前記誘電体多層膜の屈折率ｎ、および前記第１導光層の屈折率ｎ0が、３８０／（４ｎ・ｃｏｓγ）≦ｄ≦７８０／（４ｎ・ｃｏｓγ）およびｎ0・ｓｉｎβ＝ｎ・ｓｉｎγの関係を満足することが好ましい。
【００３２】
前記導光板は、第１導光体と、第２導光体と、前記第１導光体と前記第２導光体との間に設けられた接着層とが、前記出射面の法線方向に沿って積層されて形成されており、前記第１導光体の前記接着層側の表面は、前記出射面に対して傾斜した傾斜領域を複数有し、前記反射膜は、前記表面の前記傾斜領域に形成されている構成を有していてもよい。
【００３３】
前記第１導光体の前記接着層側の前記表面は、さらに、前記出射面に対して略垂直な垂直領域を複数有し、前記傾斜領域と前記垂直領域とが所定の方向に沿って交互に配置されていることが好ましい。
【００３４】
前記表面の前記傾斜領域の、前記所定の方向に沿った幅Ａと、前記反射膜の、前記所定の方向に沿った幅ａとが、０＜ａ≦Ａの関係を満足することが好ましい。
【００３５】
前記反射膜は、前記表面の前記傾斜領域の全面に形成されていてもよい。
【００３６】
前記第１導光体の前記接着層側の前記表面は、さらに、前記出射面に対して略垂直な垂直領域および前記出射面に対して略平行な平行領域を複数有してもよい。前記傾斜領域、前記垂直領域および前記平行領域は、典型的には、所定の方向に沿って所定の順で循環的に配置される。前記第１導光体の前記接着層側の前記表面が、前記導光板の前記出射面近傍に位置する場合には、前記平行領域は、前記傾斜領域よりも前記出射面側に位置することが好ましく、前記第１導光体の前記接着層側の前記表面が、前記導光板の前記対向面近傍に位置する場合には、前記平行領域は、前記傾斜領域よりも前記対向面側に位置することが好ましい。
【００３７】
前記第１導光体と前記接着層とは、互いに屈折率がほぼ等しいことが好ましい。
【００３８】
前記導光板は、第１導光体と第２導光体とが前記出射面の法線方向に沿って積層されて形成されており、前記第１導光体の前記第２導光体側の表面は、前記出射面に対して傾斜した傾斜領域を複数有し、前記反射膜は、前記表面の前記傾斜領域に形成されている構成を有していてもよい。
【００３９】
前記第２導光体は、前記第１導光体に対して観察者側に配置され、透明入力装置としても機能してもよい。
【００４０】
本発明による表示装置は、上記構成を有する照明装置と、前記照明装置の前記導光板に対して観察者とは反対側に設けられた反射型表示パネルとを備え、そのことによって上記目的が達成される。
【００４１】
本発明による導光板は、光源から出射された光を受ける第１側面と、前記第１側面に対向する第２側面と、前記第１側面と前記第２側面との間に位置し互いに対向する第３側面および第４側面と、前記第１、第２、第３および第４側面を介して互いに対向する出射面および対向面とを有する導光板であって、それぞれが前記出射面の法線方向に所定の厚さを有する第１導光層および第２導光層から構成され、前記第１導光層は、前記第１側面から前記導光板の内部に入射した光を前記出射面に向けて反射する反射膜をその内部に複数有しており、前記第２導光層は、反射膜を有しておらず、そのことによって上記目的が達成される。
【００４２】
【発明の実施の形態】
以下、本発明の実施形態を図面を参照しながら説明する。
【００４３】
まず、図１および図２を参照しながら、本発明による実施形態の照明装置１００の構造と機能を説明する。図１は、照明装置１００を模式的に示す断面図であり、図２は、照明装置１００を模式的に示す上面図である。
【００４４】
照明装置１００は、光源１０と、導光板２０とを有する。典型的には、光源１０を囲むように、光源１０から出射された光を導光板２０に効率よく入射させる反射部材１２が設けられている。
【００４５】
導光板２０は、図１および図２に示すように、光源１０から出射された光を受ける第１側面２２ａと、第１側面２２ａに対向する第２側面２２ｂと、第１側面２２ａと第２側面２２ｂとの間に位置し互いに対向する第３側面２２ｃおよび第４側面２２ｄと、これら４つの側面を介して互いに対向する出射面２２ｅおよび対向面２２ｆとを有している。典型的には、第１側面２２ａと第２側面２２ｂとが互いに平行で、第３側面２２ｃと第４側面２２ｄとが互いに平行である。また、典型的には、第１側面２２ａおよび第２側面２２ｂと、第３側面２２ｃおよび第４側面２２ｄとは互いに直交している。
【００４６】
さらに、導光板２０は、その内部に、複数の反射膜２５を有している。光源１０から出射された光は、第１側面２２ａから導光板２０内部に入射し、第２側面２２ｂに向けて伝搬する。第２側面２２ｂに向けて伝搬する光の一部は、導光板２０の内部に設けられた反射膜２５によって出射面２２ｅに向けて反射され、出射面２２ｅから出射される。
【００４７】
導光板２０において、導光板２０内部に入射した光を出射面２２ｅに向けて反射する機能を有する領域が第１導光層２０ａと規定され、第１導光層以外の領域が第２導光層２０ｂと規定される。第１導光層２０ａおよび第２導光層２０ｂは、それぞれが出射面２２ｅの法線方向に所定の厚さを有する。すなわち、導光板２０は、第１側面２２ａから導光板２２の内部に入射した光を出射面２２ａに向けて反射する反射膜２５をその内部に複数有する第１導光層２０ａと、反射膜を有していない第２導光層２０ｂとから構成されている。
【００４８】
上述のように、本発明による照明装置１００においては、導光板２０は、第１側面２２ａから導光板２０の内部に入射した光を出射面２２ａに向けて反射する複数の反射膜２５を、その内部に有しており、そのことによって、第１側面２２ａから導光板２０の内部に入射した光が出射面２２ｅから出射され、照明が行われる。従って、導光板２０の表面、例えば、対向面２２ｆに光を出射させるための構造（凹凸など）を設ける必要がなく、この構造の破損やこの構造への異物の付着によって照明光に悪影響が及ぼされることが防止される。そのため、本発明による照明装置１００は、信頼性が高く、均一で一様な照明光が得られ、本発明による照明装置１００を表示装置に用いると、高品位な表示が実現される。本発明による照明装置１００においては、後述するように、反射膜２５の配置を適宜設定することによって、所望の特性の照明光が得られるので、出射光の進行方向などを制御するための補助的な手段を設ける必要がなく、そのことによって表示装置の表示品位が低下することがない。また、導光板２０の観察者側に保護板を設ける必要がなく、装置の薄型化が可能となる。
【００４９】
ここで、本発明による照明装置１００における好ましい反射膜２５の配置を説明する。
【００５０】
まず、光源１０から出射されて第１側面２２ａから導光板２０内部に入射した光を、効率よく出射面２２ｅから出射するための好適な反射膜２５の配置について、図３（ａ）〜（ｃ）を参照しながら説明する。照明装置１００においては、光源１０から出射されて導光板２０内部に入射し、導光板２０の出射面２２ｅに対して略平行に進行する光が、主に照明に寄与する。（この光を主光線ともいう。）なお、図３（ａ）〜（ｃ）においては、図中左側が光源１０側（第１側面２２ａ側）であり、図中右側が第２側面側であり、光源１０から導光板２０内部に入射した光は、図中左側から図中右側に向けて伝搬する。
【００５１】
導光板２０が有する反射膜２５は、例えば、図１に示したように、導光板２０の出射面２２ａに対して傾斜した平面状に形成されている。反射膜２５の接線が出射面２２ｅとなす角（図１に示したように、反射膜２５が平面状である場合には、反射膜２５の層面の出射面２２ｅに対する傾斜角）をαとするとき、図３（ａ）に示すように、α＝４５°であるように形成されていると、反射膜２５で反射された主光線の出射面２２ｅに対する入射角が０°となるので、主光線のほとんどが出射面２２ｅから出射される。
【００５２】
一方、導光板２０の臨界角をθとするとき、図３（ｂ）に示すように、α＝４５°−θ／２であるように形成されていると、反射膜２５で反射された主光線の出射面２２ｅに対する入射角がθとなる。そのため、主光線のほとんどは出射面２２ｅで全反射され、出射面２２ｅから出射されない。また、図３（ｃ）に示すように、α＝４５°＋θ／２であるように形成されていると、反射膜２５で反射された主光線の出射面２２ｅに対する入射角がθとなる。そのため、主光線のほとんどは出射面２２ｅで全反射され、出射面２２ｅから出射されない。
【００５３】
従って、反射膜２５の接線が出射面２２ｅとなす角αと、導光板２０の臨界角θとが下式（１）の関係を満足するように、反射膜２５が形成されていると、主光線が出射面２２ｅから効率よく出射され、光利用効率の高い照明が実現される。
【００５４】
４５°−θ／２＜α＜４５°＋θ／２            （１）
なお、反射膜２５は、平面状に限られず、曲面状などの様々な形状であってもよく、反射膜２５の接線が出射面２２ｅとなす角αと、導光板２０の臨界角θとが、式（１）の関係を満足すればよい。反射膜２５が曲面状である場合、反射膜２５は、複数の接線を有しうるが、これら複数の接線が出射面２２ｅとなす角が、それぞれ上記式（１）を満足するような構成とすることによって、光利用効率が高い表示が実現される。
【００５５】
本発明による照明装置１００を、反射型液晶表示装置のフロントライトとして用いる場合、照明装置１００の導光板２０が反射型液晶表示パネルの観察者側に配置される。反射型液晶表示装置においては、照明装置１００の光源１０から出射される光だけでなく、観察者側から導光板２０内に入射する光も表示に利用される。このとき、観察者側（対向面２２ｆ側）から導光板２０内に入射した光が、反射膜２５で反射されて再び観察者側に出射すると、反射型液晶表示装置の表示品位が低下する。
【００５６】
しかしながら、反射膜２５の配置を以下の知見に基づいて最適化することによって、上述の表示品位の低下が防止される。以下に、観察者側からの光が反射膜２５によって反射されることによる表示品位の低下を防止するための好適な反射膜２５の配置について、図４（ａ）〜（ｃ）を参照しながら説明する。
【００５７】
本発明による照明装置１００においては、典型的には、出射面２２ｅと対向面２２ｆとはほぼ平行に形成されている。このとき、観察者側から（対向面２２ｆから）導光板２０内部に入射する光は、対向面２２ｆから導光板２０内部に入射する際に、導光板２０の臨界角θ以下の屈折角で屈折される。
【００５８】
ここで、対向面２２ｆから入射して出射面２２ｅの法線方向に平行に導光板２０内部を進行する光をＬ１、対向面２２ｆから入射して出射面２２ｅの法線方向に対して＋θの傾斜角で導光板２０内部を進行する光をＬ２、対向面２２ｆから入射して出射面２２ｅの法線方向に対して−θの傾斜角で導光板２０内部を進行する光をＬ３とし、これらの光Ｌ１、Ｌ２およびＬ３が、反射膜２５で反射された後に対向面２２ｆから出射されないように反射膜２５を形成すれば、上述の表示品位の低下が防止される。なお、＋θの傾斜角とは、対向面２２ｆから入射して出射面２２ｅの法線方向に平行に導光板２０内部を進行する光Ｌ１の進行ベクトルを時計回りにθ回転させた進行ベクトルを有する光の傾斜角を指し、−θの傾斜角とは、出射面２２ｅの法線方向に平行に導光板２０内部を進行する光Ｌ１の進行ベクトルを反時計回りにθ回転させた進行ベクトルを有する光の傾斜角を指す。
【００５９】
例えば、図４（ａ）に示すように、α＝θであるように反射膜２５が形成されていると、観察者側から（対向面２２ｆから）導光板２０内部に入射した光Ｌ１、Ｌ２およびＬ３は、反射膜２５で反射された後、対向面２２ｆまたは出射面２２ｅに全反射条件を満足する角度で到達し、対向面２２ｆに臨界角θよりも小さい角度で到達することがない。従って、光Ｌ１、Ｌ２およびＬ３が、対向面２２ｆから出射することがない。
【００６０】
また、図４（ｂ）に示すように、α＞θであるように反射膜２５が形成されていると、観察者側から導光板２０内部に入射した光Ｌ１、Ｌ２およびＬ３のうち、光Ｌ１およびＬ２は、反射膜２５で反射された後、対向面２２ｆまたは出射面２２ｅに全反射条件を満足する角度で到達し、対向面２２ｆに臨界角θよりも小さい角度で到達することがない。また、光Ｌ３は、反射膜２５で反射された後、臨界角θよりも小さい角度で出射面２２ｅに到達するので、出射面２２ｅから出射されて表示に用いられる。従って、光Ｌ１、Ｌ２およびＬ３が、対向面２２ｆから出射することがない。
【００６１】
一方、図４（ｃ）に示すように、α＜θであるように反射膜２５が形成されていると、観察者側から導光板２０内部に入射した光Ｌ１、Ｌ２およびＬ３のうち、光Ｌ１およびＬ３は、反射膜２５で反射された後、対向面２２ｆまたは出射面２２ｅに全反射条件を満足する角度で到達し、対向面２２ｆに臨界角θよりも小さい角度で到達することはないが、光Ｌ２は、反射膜２５で反射された後、臨界角θよりも小さい角度で対向面２２ｅに到達するので、対向面２２ｅから出射されて反射型液晶表示装置の表示品位の低下をもたらす。
【００６２】
このように、反射膜２５の接線が出射面２２ｅとなす角αが、導光板２０の臨界角θ以上（α≧θ）となるように反射膜２５が形成されていると、観察者側から導光板２０内部に入射した光が反射膜２５によって反射された後に対向面２２ｆから出射することによる表示品位の低下が防止される。
【００６３】
従って、式（１）で表される条件と、上述の知見とから、反射膜２５の接線が出射面２２ｅとなす角αと、導光板２０の臨界角θとが、下式（２）の関係を満足するように、反射膜２５が形成されていると、光の利用効率が向上し、且つ、反射型液晶表示装置のフロントライトとして用いても表示品位が低下することがない。
【００６４】
θ≦α＜４５°＋θ／２                    （２）
本発明による照明装置１００を、反射型液晶表示装置のフロントライトとして用いる場合、観察者側から導光板２０内に入射する光の一部が、出射面２２ｅから出射することなく反射膜２５で反射されることによって、反射型液晶表示パネルに入射する光が減少することがある。
【００６５】
しかしながら、図２８（ａ）に示したように、対向面に凹凸を有する導光板を備えた従来の照明装置の前面に保護板を配置した場合にも、保護板における表面反射によって、反射型液晶表示パネルに入射する光が減少し、反射型液晶表示装置の明るさが低下する。
【００６６】
そのため、反射膜２５が設けられていることによる明るさの低下の程度が、保護板を設けた場合の明るさの低下の程度以下になるように反射膜２５を形成することにより、従来の照明装置に保護板を設けた場合と同等かそれ以上に明るい表示が実現される。しかも、本発明による照明装置１００は、保護板を設ける必要がないので、表示装置の薄型化が可能となる。
【００６７】
一般的に従来の照明装置に用いられる導光体と、保護板として用いられる透明平板は、屈折率が約１．４９のポリメチルメタクリレートや屈折率が約１．５９のポリカーボネートから形成されており、その表面反射率は約４％であるので、導光体および保護板の反射率はそれぞれ約８％であり、透過率はそれぞれ約９２％である。従って、導光体と保護板とを積層した場合の反射率は約１５％であり、透過率は約８５％である。一方、本発明による照明装置１００の導光板２０の表面反射も約４％であるため、導光板２０内部の複数の反射膜２５での反射率（以下、単に、複数の反射膜２５の反射率ともよぶ。）を約８％以下とすることによって、導光板２０の光透過率は約８５％以上となり、従来の照明装置に保護板を設けたもの以上に明るい表示が実現される。
【００６８】
導光板２０の光透過率は、図５に示すように、導光板２０の対向面２２ｆに略平行光を垂直に入射させ、導光板２０の出射面２２ｅから出射する光の光量を出射面２２ｅ側に設けた受光器にて測定することによって、求められる。勿論、導光板２０の出射面２２ｅに略平行光を垂直に入射させ、導光板２０の対向面２２ｆから出射する光の光量を対向面２２ｆ側に設けた受光器にて測定することによって、光透過率を求めてもよい。
【００６９】
対向面２２ｆから入射させた光量をＩ、出射面２２ｅから出射した光量をＩTとすると、導光板２０の光透過率Ｔは、Ｔ＝ＩT／Ｉで表される。導光板２０の光透過率Ｔが約８５％以上であると、従来の照明装置に保護板を設けたもの以上に明るい表示が実現される。
【００７０】
複数の反射膜２５の反射率Ｒは、反射膜２５の反射率ｒ（複数の反射膜２５の個々の反射率）と、反射膜２５を出射面２２ｅに射影した面積Δｓと、出射面２２ｅの面積Ｓとによっても規定され、反射膜２５を出射面に射影した面積Δｓの総和をΣΔｓとすると、Ｒ＝（ΣΔｓ／Ｓ）・ｒで表される。従って、反射膜２５を出射面に射影した面積Δｓの総和ΣΔｓと、反射膜２５の反射率ｒと、導光板２０の出射面２２ｅの面積Ｓとが、下式（３）を満足すると、従来の照明装置と保護板とを組み合わせたもの以上に明るい表示が実現される。
【００７１】
０＜（ΣΔｓ／Ｓ）・ｒ≦０．０８                （３）
つまり、例えば、図６（ａ）に示すように、ΣΔｓ＝Ｓである場合には、反射膜２５の反射率ｒを約８％以下とすればよい。また、反射膜２５の反射率ｒが約１００％である場合には、図６（ｂ）に示すように、ΣΔｓ／Ｓを約８％以下とすればよい。ここで、反射率ｒとは、図７に示すように、反射層２５に対して、入射角αで入射する光の反射率と規定される。
【００７２】
ΣΔｓ／Ｓ＜１とする場合、反射膜２５の形状（出射面２２ｅの法線方向から見た形状）は、任意の形状とすることができる。例えば、図２に示したように、反射膜２５は、線状（帯状）に形成されていてもよいし、図８に示すように、島状（点状）に形成されていてもよい。
【００７３】
導光板２０の出射面２２ｅの面積に対する、反射膜２５を出射面２２ｅに射影した面積の割合は、図２および図８に示したように、導光板２０の出射面２２ｅ内において一定であってもよいし、図９（ａ）および（ｂ）に示すように、光源１０から遠ざかるにつれて反射膜２５の割合が高くなるように形成されていてもよい。図９（ａ）および（ｂ）に示したように、光源１０から遠ざかるにつれて反射膜２５の割合が高くなるように形成されていると、出射面２２ｅから出射される光の強度分布を均一にすることができる。このとき、図９（ａ）および（ｂ）に示したように、一定の繰り返しピッチで形成された反射膜２５の面積を光源１０から遠ざかるにつれて広くしてもよいし、ほぼ同じ面積となるように形成された反射膜２５の繰り返しピッチを光源１０から遠ざかるにつれて広くしてもよい。
【００７４】
さらに、反射膜２５が周期的に配列されている場合、反射膜２５の繰り返し方向を、液晶表示パネルに形成された画素パターンの繰り返し方向に対して傾斜させることによって、モアレ縞の発生を防止することができる。モアレ縞は、周期的に配列された反射膜２５と、周期的に配列された液晶表示パネルの画素パターンとの干渉によって発生する。モアレ縞の発生を防止するために、反射膜を不規則に配列させてもよい。モアレ縞の発生を防止する観点からは、反射膜２５の形状は、図２に示したような線状であるよりも、図８に示したような島状であることが好ましい。
【００７５】
次に、本発明による照明装置１００に好適に用いられる導光板２０の構造およびその製造方法を説明する。図１０（ａ）〜（ｄ）は、照明装置１００の導光板２０として好適に用いられる導光板２０Ａの製造工程を模式的に示す断面図である。
【００７６】
図１０（ｄ）に示すように、導光板２０Ａは、第１導光体２６と、第２導光体２７と、第１導光体２６と第２導光体２７との間に設けられた接着層２８とが、出射面２２ｅの法線方向に沿って積層されて形成されている。
【００７７】
第１導光体２６の接着層２８側の表面２６ａは、出射面２２ｅに対して傾斜した傾斜領域２６ａ１を複数有しており、反射膜２５は、表面２６ａの傾斜領域２６ａ１に形成されている。
【００７８】
第１導光体２６の接着層２８側の表面２６ａは、さらに、出射面２２ｅに対して略垂直な垂直領域２６ａ２を複数有し、傾斜領域２６ａ１と垂直領域２６ａ２とが所定の方向に沿って交互に配置されている。
【００７９】
上述のような構成を有する導光板２０Ａは、例えば、以下のようにして製造される。
【００８０】
まず、図１０（ａ）に示すように、傾斜領域２６ａ１と垂直領域２６ａ２とが交互に配置された表面２６ａを有する第１導光体２６を用意する。第１導光体２６は、種々の透明材料（例えば、ポリメチルメタクリレートやポリカーボネートなどの透明樹脂やガラス）を、射出成形、押し出し成形または熱プレス成形などの方法を用いて成形することによって得られる。
【００８１】
次に、図１０（ｂ）に示すように、第１導光体２６の表面２６ａの傾斜領域２６ａ１に、マスク４０を介して、反射膜２５となる材料を蒸着する。勿論、斜方から蒸着することによって形成してもよいし、印刷によって形成してもよい。反射膜２５の材料としては、アルミニウム、ニッケル、銀などの金属や、酸化チタン、鉛白、酸化スズなどの白色顔料を用いることができる。また、反射膜２５は、所定の波長帯域の光を選択的に反射する誘電体膜（あるいは誘電体多層膜）であってもよく、特定の偏光を選択的に反射する誘電体膜（あるいは誘電体多層膜）であってもよい。反射膜２５として、特定の偏光を選択的に反射する誘電体膜または誘電体多層膜を用いると、偏光板を備えた反射型または透過型の液晶表示パネルを照明する際に、偏光板による光の吸収を低減することができ、液晶表示装置の高輝度化を実現することができる。
【００８２】
続いて、図１０（ｃ）に示すように、第１導光体２６の表面２６ａに、接着層２８となる材料を塗布し、その後、第２導光体２７を貼り合わせることによって、図１０（ｄ）に示した導光板２０Ａが形成される。接着層２８の材料としては、紫外線硬化樹脂、熱硬化樹脂、電子線硬化樹脂などのエネルギー硬化樹脂や、粘着剤などを用いることができる。第２導光体２７は、種々の透明材料（例えば、例えば、ポリメチルメタクリレートやポリカーボネートなどの透明樹脂やガラス）を、射出成形、押し出し成形または熱プレス成形などの方法を用いて成形することによって得られる。
【００８３】
第１導光体２６と、接着層２８とは、互いに屈折率がほぼ等しいことが好ましい。第１導光体２６の屈折率と接着層２８の屈折率との差が大きいと、屈折やモアレ縞、回折などによって、照明光に悪影響が及ぼされることがある。接着層２８と第２導光体２７との界面は、典型的にはほぼ平坦であるので、第２導光体２７の屈折率と接着層２８の屈折率とに差があっても、屈折などによって照明光に悪影響がおよぼされることがない。
【００８４】
第１導光体２６、接着層２８および第２導光体２７の屈折率が互いにほぼ等しいことがさらに好ましい。第１導光体２６、接着層２８および第２導光体２７の屈折率が互いにほぼ等しいと、第１導光体２６、接着層２８および第２導光体２７が光学的にほぼ一体となるので、照明光に悪影響をおよぼす光学的な現象がそれぞれの界面において発生しない。
【００８５】
図１０（ｄ）に示した導光板２０Ａは、第１導光体２６として、接着層２８側の表面２６ａに出射面２２ｅに対して略垂直な垂直領域２６ａ２を複数有し、傾斜領域２６ａ１と垂直領域２６ａ２とが交互に配置されている第１導光体２６を用いる。このように、傾斜領域２６ａ１と垂直領域２６ａ２とが交互に配置されていると、反射膜２５となる材料をマスク４０を介して蒸着する際に、第１導光体２６とマスク４０との位置合わせが不要となる。
【００８６】
つまり、図１１中右側、中央、左側にそれぞれ示すように、マスク４０が第１導光体２６に対してどのように位置合わせされていてもよく、傾斜領域２６ａ１と垂直領域２６ａ２との境界と、マスク４０の抜き部との相対的な配置によらず、反射膜２５を傾斜領域２６ａ１に形成することができる。従って、このような第１導光体２６を備える導光板２０Ａは効率よく製造できる。
【００８７】
また、反射膜２５の幅ａ（傾斜領域２６ａ１の繰り返し方向に沿った反射膜２５の幅）と、表面２６ａの傾斜領域２６ａ１の幅Ａ（傾斜領域２６ａ１の繰り返し方向に沿った傾斜領域２６ａ１の幅）とは、０＜ａ≦Ａの関係を満足することが好ましい。この理由を、図１２を参照しながら説明する。
【００８８】
反射膜２５の幅ａが、表面２６ａの傾斜領域２６ａ１の幅Ａよりも広い（ａ＞Ａ）と、図１２の左側に示すように、反射膜２５は、複数の傾斜領域２６ａ１にまたがって形成される。そのため、反射膜２５の反射率が比較的高い場合には、反射膜２５の一部（例えば、図１２の左側に示すように、２つの傾斜領域２６ａ１にまたがって反射膜２５が形成される場合、第１側面２２ａからの距離が遠い方の傾斜領域２６ａ１に形成されている部分）には、導光板２０内部を伝搬する主光線がほとんど到達せず、この部分は主光線を出射面２２ｅに向けて出射させる機能を果たさない。光源１０からの光の反射に寄与しないこの部分は、観察者側からの光を反射し、導光板２０の光透過率を徒に低下させる。
【００８９】
一方、反射膜２５の幅ａが、表面２６ａの傾斜領域２６ａ１の幅Ａ以下である（ａ≦Ａ）と、図１２の右側に示すように、反射膜２５を１つの傾斜領域に形成することができる。従って、反射膜２５の全ての部分が、導光板２０内部を伝搬する主光線を出射面２２ｅに向けて出射させる機能を果たす。そのため、形成された反射膜２５の全ての部分が有効に機能するので、導光板２０の光透過率の不要な低下が防止され、より明るい表示が実現される。
【００９０】
なお、図１２においては、第１導光体２６が出射面側に配置され、第２導光体２７が対向面側に配置された導光板２０を示しているが、勿論、第１導光体２６が対向面側に配置され、第２導光体２７が出射面側に配置された構成を有する導光板２０であってもよい。
【００９１】
また、上述したように反射膜２５が傾斜領域２６ａ１の一部に形成された構成に限定されず、以下のようにして傾斜領域２６ａ１の全面に反射膜２５を形成してもよい。図１３（ａ）〜（ｄ）は、第１導光体２６の表面２６ａの傾斜領域２６ａ１の全面に反射膜２６が形成された導光板２０Ａ’の製造工程を模式的に示す断面図である。
【００９２】
まず、図１３（ａ）に示すように、傾斜領域２６ａ１と垂直領域２６ａ２とが交互に配置された表面２６ａを有する第１導光体２６を用意する。
【００９３】
次に、図１３（ｂ）に示すように、第１導光体２６の表面２６ａの傾斜領域２６ａ１の全面に反射膜２５となる材料を蒸着し、反射膜２５を形成する。
【００９４】
続いて、図１３（ｃ）に示すように、第１導光体２６の表面２６ａに、接着層２８となる材料を塗布し、その後、第２導光体２７を貼り合わせることによって、図１３（ｄ）に示した導光板２０Ａ’が形成される。
【００９５】
上述したように、傾斜領域２６ａ１の全面に反射膜２５が形成された構成を有する導光板２０Ａ’の製造工程においては、反射膜２５を形成する際にマスクを必要としない。そのため、上述の構成を有する導光板２０Ａ’は簡便なプロセスで製造することができる。
【００９６】
上述の説明においては、接着層２８側の表面２６ａに垂直領域２６ａ２を有する第１導光体２６を備えた導光板２０Ａについて説明したが、勿論、これに限定されず、接着層側の表面に垂直領域を有していない第１導光体を用いて以下のようにして導光板を製造してもよい。図１４（ａ）〜（ｄ）は、接着層２８側の表面２６ａに垂直領域を有していない第１導光体２６を備えた導光板２０Ｂの製造工程を模式的に示す断面図である。なお、図１４（ａ）〜（ｄ）においては、導光板２０Ｂの構成要素は導光板２０Ａと実質的に同様の機能を有するので、同じ参照符号を用いて示し、その説明を省略する。
【００９７】
まず、図１４（ａ）に示すように、出射面に対して傾斜した傾斜領域を表面に有する第１導光体２６を用意する。次に、図１４（ｂ）に示すように、第１導光体２６の表面の傾斜領域に反射膜２５を形成する。続いて、図１４（ｃ）に示すように、第１導光体２６の表面に、接着層２８となる材料を塗布し、その後、第２導光体２７を貼り合わせることによって、図１４（ｄ）に示した導光板２０Ｂが形成される。
【００９８】
また、導光板２０を構成する第２導光体として、透明入力装置（タッチパネル）としても機能する第２導光体を用いて以下のようにして導光板を製造してもよい。図１５（ａ）〜（ｄ）は、透明入力装置と一体化された第２導光体２７を備えた導光板２０Ｃの製造工程を模式的に示す断面図である。なお、図１５（ａ）〜（ｄ）においては、導光板２０Ａと実質的に同様の機能を有する構成要素を同じ参照符号を用いて示し、その説明を省略する。
【００９９】
まず、図１５（ａ）に示すように、第１導光体２６を用意する。ここで、第１導光体２６は、図１５（ａ）に示したように、傾斜領域２６ａ１と垂直領域２６ａ２とが交互に配置された表面２６ａを有する第１導光体２６であってもよいし、図１４（ａ）に示したように、表面に垂直領域を有していない第１導光体であってもよい。
【０１００】
次に、図１５（ｂ）に示すように、第１導光体２６の表面２６ａの傾斜領域２６ａ１に反射膜２５を形成する。続いて、図１５（ｃ）に示すように、第１導光体２６の表面に、接着層２８となる材料を塗布し、その後、透明入力装置（タッチパネル）と一体化された第２導光体２７を貼り合わせることによって、図１５（ｄ）に示した導光板２０Ｃが形成される。
【０１０１】
第２導光体２７の表面には、透明導電膜（例えばＩＴＯ層）からなる下部電極３２とスペーサ３８とが形成されており、第２導光体２７側の表面に透明導電膜（例えばＩＴＯ層）からなる上部電極３４が形成された上部電極フィルム３６が、接着部３３によって所定の間隔を保持した状態で第２導光体２７と貼り合わされている。このような構成を有する透明入力装置においては、上部電極フィルム３６が押圧されることによる変形に応じて上部電極３４と下部電極３２とが導通し、情報の入力が行われる。
【０１０２】
このように、第２導光体２７として、透明入力装置（タッチパネル）と一体化された第２導光体２７を用いると、図４０（ｂ）に示したように照明装置の前面に別個にタッチパネルが配置される場合に比べて、下部電極基板が省略され、薄型化・軽量化が実現される。また、下部電極基板と導光板との間の界面が省略されるので、この界面における表面反射による表示品位の低下が防止される。
【０１０３】
上述したような、導光板と透明入力装置とを一体化することによる効果は、観察者側の表面に凹凸を有する従来の導光板と透明入力装置とを一体化することによっても得られるが、凹凸を有する導光板を下部電極基板とすると、情報入力の際の押圧などによって凹凸が破損し、表示装置の表示品位が低下することがある。これに対して、本発明による照明装置１００の導光板２０は、その表面に特別な構造を設ける必要がなく、第２導光体の観察者側の表面をほぼ平坦とすることができる。そのため、観察者側の表面に凹凸を有する従来の導光板と透明入力装置とを一体化した構成に比べ、信頼性が高いという利点がある。
【０１０４】
図１６（ａ）〜（ｄ）に、照明装置１００の導光板２０として好適に用いられる他の導光板２０Ｄの製造工程を模式的に示す。
【０１０５】
図１６（ｄ）に示すように、導光板２０Ｄは、第１導光体２６と、第２導光体２７と、第１導光体２６と第２導光体２７との間に設けられた接着層２８とが、出射面２２ｅの法線方向に沿って積層されて形成されている。
【０１０６】
第１導光体２６の接着層２８側の表面２６ａは、出射面２２ｅに対して傾斜した傾斜領域２６ａ１、略垂直な垂直領域２６ａ２および略平行な平行領域２６ａ３を複数有しており、傾斜領域２６ａ１、垂直領域２６ａ２および平行領域２６ａ３は、所定の方向に沿って所定の順で循環的に配置されている。第１導光体２６の表面２６ａに設けられた反射膜２５は、傾斜領域２６ａ１に形成された反射膜２５ａと、平行領域２６ａ３に形成された反射膜２５ｂとから構成されている。
【０１０７】
上述のような構成を有する導光板２０Ｄは、例えば、以下のようにして製造される。
【０１０８】
まず、図１６（ａ）に示すように、傾斜領域２６ａ１と垂直領域２６ａ２と平行領域２６ａ３とが配置された表面２６ａを有する第１導光体２６を用意する。第１導光体２６は、種々の透明材料を、公知の方法を用いて成形することによって得られる。
【０１０９】
次に、図１６（ｂ）に示すように、第１導光体２６の表面２６ａの傾斜領域２６ａ１および平行領域２６ａ３に、反射膜２５となる材料を蒸着することによって、傾斜領域２６ａ１および平行領域２６ａ３に反射膜２５ａおよび２５ｂを形成する。
【０１１０】
続いて、図１６（ｃ）に示すように、第１導光体２６の表面２６ａに、接着層２８となる材料を塗布し、その後、第２導光体２７を貼り合わせることによって、図１６（ｄ）に示した導光板２０Ｄが形成される。
【０１１１】
導光板２０Ｄを備えた照明装置１００においては、図１７に示すように、光源１０から第１側面２２ａを介して導光板２０Ｄの内部に入射した光は、主に、傾斜領域２６ａ１に形成された反射膜２５ａによって出射面２２ｅに向かって反射される。つまり、第１導光体２６の表面２６ａ１の傾斜領域２６ａ１および平行領域２６ａ３に形成された反射膜２５のうち、傾斜領域２６ａ１に形成された反射膜２５ａが、光源１０からの光を出射面２２ｅに向けて反射する機能を担っている。
【０１１２】
出射面２２ｅへの反射に寄与する反射膜２５ａの配置は、第１導光体２６の表面２６ａにおける傾斜領域２６ａ１の配置に依存するので、傾斜領域２６ａ１の配置を変化させることによって、反射膜２５ａの配置を変化させることができる。例えば、第１導光体２６の表面２６内で傾斜領域２６ａ１を一定の割合で形成（例えば一定の幅および一定のピッチで形成）すれば、反射膜２５ａも一定の割合で形成される。また、光源１０から遠ざかるにつれて傾斜領域２６ａ１の割合を高くすると、反射膜２５ａの割合も光源１０から遠ざかるにつれて高くなるので、出射面２２ｅから均一な光を出射することができる。
【０１１３】
図１０（ｄ）に示した導光板２０Ａの製造工程においては、マスクを用いて反射膜２５の配置を制御するのに対して、図１６（ｄ）に示した導光板２０Ｄの製造工程においては、傾斜領域２６ａ１の配置を適宜選択することによって反射膜２５ａの配置を制御することができるので、製造工程を簡略化することができる。
【０１１４】
なお、上述の導光体２０Ｄを備えた照明装置１００を反射型液晶表示装置のフロントライトとして用いる場合、図１８に示すように、観察者側（対向面２２ｆ側）から導光体２０Ｄの内部に入射する光の一部が、第１導光体２６の表面２６ａの平行領域２６ａ３に形成された反射膜２５ｂによって反射されて観察者側に出射し、反射型液晶表示装置の表示品位が低下することがある。
【０１１５】
第１導光体２６の表面２６ａに設けられた複数の反射膜２５の反射率を約８％以下とし、導光板２０Ｄの光透過率を約８５％以上とすることによって、この表示品位の低下を抑制できる。ここで、複数の反射膜２５の反射率Ｒは、傾斜領域２６ａ１に形成された反射膜２５ａの反射率ｒ（複数の反射膜２５ａの個々の反射率）、反射膜２５ａを出射面２２ｅに射影した面積Δｓ、平行領域２６ａ３に形成された反射膜２５ｂの反射率ｒ’（複数の反射膜２５ｂの個々の反射率）、反射膜２５ｂを出射面２２ｅに射影した面積Δｓ’、出射面２２ｅの面積Ｓとによって規定され、反射膜２５ａを出射面２２ｅに射影した面積Δｓの総和をΣΔｓ、反射膜２５ｂを出射面２２ｅに射影した面積Δｓ’の総和をΣΔｓ’とすると、Ｒ＝（ΣΔｓ／Ｓ）・ｒ＋（ΣΔｓ’／Ｓ）・ｒ’で表される。したがって、反射膜２５が下式（３’）を満足するように形成されると、表示品位が良好な明るい表示が実現される。
【０１１６】
０＜（ΣΔｓ／Ｓ）・ｒ＋（ΣΔｓ’／Ｓ）・ｒ’≦０．０８          （３’）
また、第１導光体２６の接着層２８側の表面（反射膜２５が形成される表面）２６ａが、導光板２０Ｄの出射面２２ｅ近傍に位置する場合には、図１９（ａ）に示すように、平行領域２６ａ３が傾斜領域２６ａ１よりも出射面２２ｅ側に位置することが好ましい。すなわち、傾斜領域２６ａ１、平行領域２６ａ３および垂直領域２６ａ２が、導光体２０Ｄの第１側面２２ａから第２側面２２ｂに向かう方向に沿ってこの順に配置されていることが好ましい。
【０１１７】
図１９（ｂ）に示すように、傾斜領域２６ａ１が平行領域２６ａ３よりも出射面２２ｅ側に位置していると、光源１０から第１側面２２ａを介して導光板２０Ｄの内部に入射した光の一部が、平行領域２６ａ３に形成された反射膜２５ｂで反射され、傾斜領域２６ａ１に形成された反射膜２５ａに到達しにくくなるので、出射面２２ｅから光が出射されにくくなるからである。
【０１１８】
これに対して、図１９（ａ）に示したように、傾斜領域２６ａ１が平行領域２６ａ３よりも出射面２２ｅ側に位置していると、光源１０から導光板２０Ｄの内部に入射した光が、効率よく傾斜領域２６ａ１の反射膜２５ａに到達して反射されるので、出射面２２ｅから効率よく光が出射する。
【０１１９】
また、第１導光体２６の接着層２８側の表面２６ａが、導光板２０Ｄの対向面２２ｆ近傍に位置する場合には、図２０（ａ）に示すように、平行領域２６ａ３が傾斜領域２６ａ１よりも対向面２２ｆ側に位置することが好ましい。すなわち、傾斜領域２６ａ１、垂直領域２６ａ２および平行領域２６ａ３が、導光体２０Ｄの第１側面２２ａから第２側面２２ｂに向かう方向に沿ってこの順に配置されていることが好ましい。
【０１２０】
図２０（ｂ）に示すように、傾斜領域２６ａ１が平行領域２６ａ３よりも対向面２２ｆ側に位置していると、光源１０から第１側面２２ａを介して導光板２０Ｄの内部に入射した光の一部が、平行領域２６ａ３に形成された反射膜２５ｂで反射され、傾斜領域２６ａ１に形成された反射膜２５ａに到達しにくくなるので、出射面２２ｅから光が出射されにくくなるからである。
【０１２１】
これに対して、図２０（ａ）に示したように、平行領域２６ａ３が傾斜領域２６ａ１よりも対向面２２ｆ側に位置していると、光源１０から導光板２０Ｄの内部に入射した光が、効率よく傾斜領域２６ａ１の反射膜２５ａに到達して反射されるので、出射面２２ｅから効率よく光が出射する。
【０１２２】
なお、上述の説明においては、第１導光体と、第２導光体と、これらの間に設けられた接着層とから構成されている導光板について説明したが、これに限定されず、反射膜が形成される傾斜領域を表面に有する導光体と、この導光体の表面（反射膜が形成された表面）を平坦化する樹脂層とから構成されている導光板を用いてもよい。
【０１２３】
以下、本発明による表示装置の実施形態を図面を参照しながら説明する。なお、以下の説明においては、反射型液晶表示装置とそれに用いられるフロントライトを例に本発明の実施形態を説明するが、本発明はこれらに限定されるものではない。本発明による照明装置は、透過型液晶表示装置が備えるバックライトとしても用いられる。また、本発明による照明装置によって照明される被照射物は、液晶表示パネルに限定されず、本発明による照明装置は、例えば、印刷物を前方から照明する前方照明装置としても用いることができる。
【０１２４】
（実施形態１）
図２１、図２２および図２３を参照しながら、本発明による実施形態１の反射型液晶表示装置２００Ａを説明する。図２１は、反射型液晶表示装置２００Ａを模式的に示す断面図であり、図２２は、反射型液晶表示装置２００Ａが有する照明装置１００を模式的に示す上面図であり、図２３は、反射型液晶表示装置２００Ａが有する照明装置１００を模式的に示す斜視図である。
【０１２５】
反射型液晶表示装置２００Ａは、図２１に示すように、反射型液晶表示パネル１１０と、照明装置（フロントライト）１００とを有している。
【０１２６】
反射型液晶表示パネル１１０は公知の反射型液晶表示パネルであり、典型的には、円偏光板１１４と、反射型液晶表示セル１１６とを有する。反射型液晶表示セル１１６は、一対のガラス基板１１１ａおよび１１１ｂと、一対のガラス基板１１１ａおよび１１１ｂの間に設けられた液晶層１１２とを有し、液晶層１１２を通過する光の偏光状態を変調するとともに、液晶層１１２のフロントライト１００とは反対側に反射電極１１３を有し、液晶層１１２を通過した光をフロントライト１００側に反射する。円偏光板１１４は、偏光板と、λ／２板と、λ／４板とが一体に貼り合わされて構成されている。
【０１２７】
照明装置１００は、光源１０と、導光板２０とを備える。光源１０として、ここでは、蛍光管を用いる。勿論、これに限定されず、ＬＥＤ（発光ダイオード）や、ＥＬ（エレクトロルミネッセンス）素子などを用いてもよい。光源１０を囲むように、光源１０から出射された光を導光板２０の第１側面２２ａに効率よく入射させる光反射シート１２が設けられている。また、導光板２０としては、図１０（ｄ）に示した導光板２０Ａを用いる。
【０１２８】
本実施形態においては、第１導光体２６として、ポリメチルメタクリレートを射出成形することによって形成された屈折率が約１．４９の第１導光体２６を用い、第２導光体２７として、ポリメチルメタクリレートを射出成形することによって形成された屈折率が約１．４９の第１導光体２６を用いる。さらに、接着層２８として、屈折率が約１．４９のアクリル系粘着剤を用いる。
【０１２９】
本実施形態の反射型液晶表示装置２００Ａにおいては、このように、第１導光体２６、接着層２８および第２導光体２７の屈折率が互いにほぼ等しく、第１導光体２６、接着層２８および第２導光体２７が光学的にほぼ一体であるので、照明光に悪影響をおよぼす光学的な現象がそれぞれの界面において発生しない。そのため、高品位な表示が実現される。なお、上述の材料からなる導光板２０の臨界角θは、約４２°である。
【０１３０】
本実施形態においては、第１導光体２６の表面２６ａは、傾斜領域２６ａ１において出射面２２ｅに対して約４５°傾斜するように形成されており、この傾斜領域２６ａ１に、アルミニウムからなる反射膜２５がマスクを介した蒸着によって形成されている。このように形成された反射膜２５の接線が出射面２２ｅとなす角αは約４５°であり、一方、導光板２０の臨界角θは約４２°である。従って、本実施形態の反射型液晶表示装置２００Ａにおいては、反射膜２５の接線が出射面２２ｅとなす角αと導光板２０の臨界角θとが上記式（２）を満足する。そのため、主光線が出射面２２ｅから効率よく出射されて光利用効率が向上するとともに、観察者側からの光が反射膜２５によって反射されて対向面２２ｆから出射されることによる表示品位の低下が抑制される。
【０１３１】
また、反射膜２５は、図２２に示すように出射面２２ｅの法線方向から見た形状が線状に形成されており、反射膜２５の幅ａ（傾斜領域２６ａ１の繰り返し方向に沿った反射膜２５の幅）＝０．１ｍｍ、周期Ｐ＝１．２５ｍｍで周期的に配列されている。従って、反射膜２５を出射面に射影した面積Δｓの総和ΣΔｓの、導光板２０の出射面２２ｅの面積Ｓに対する割合は、下式（４）に示すように、８％である。アルミニウムからなる反射膜２５の反射率ｒ（傾斜角α＝４５°）は、約９０％であるので、複数の反射膜２５の反射率Ｒ（＝ΣΔｓ／Ｓ・ｒ）は、約７．２％であり、従来の照明装置と保護板とを組み合わせたものよりも明るい表示が実現される。
【０１３２】
ΣΔｓ／Ｓ＝ａ／Ｐ＝０．０８                  （４）
第１導光体２６の表面２６ａの傾斜領域２６ａ１の幅Ａ（傾斜領域２６ａ１の繰り返し方向に沿った傾斜領域２６ａ１の幅）は、０．１１ｍｍであり、反射膜２５の幅ａ（＝０．１ｍｍ）よりも広い。そのため、反射膜２５の全ての部分が、導光板２０内部を伝搬する主光線を出射面２２ｅに向けて出射させる機能を果たすので、導光板２０の光透過率の不要な低下が防止され、より明るい表示が実現される。
【０１３３】
なお、本発明による反射型液晶表示装置２００Ａにおいては、導光板２０の出射面２２ｅに反射防止処理１１８が施されており、導光板２０内部の光が出射面２２ｅから出射する際の、出射面２２ｅにおける表面反射が抑制される。反射防止処理としては、例えば、導光板２０の出射面２２ｅ上に、蒸着やスパッタリング法を用いて、膜厚が約０．１μｍのＭｇＦ2、ＳｉＯ2などからなる反射防止層を形成する方法を用いることができる。
【０１３４】
（実施形態２）
図２４、図２５および図２６を参照しながら、本発明による実施形態２の反射型液晶表示装置２００Ｂを説明する。図２４は、反射型液晶表示装置２００Ｂを模式的に示す断面図であり、図２５は、反射型液晶表示装置２００Ｂが有する照明装置２００Ｂを模式的に示す上面図であり、図２６は、反射型液晶表示装置２００Ｂが有する照明装置１００を模式的に示す斜視図である。
【０１３５】
反射型液晶表示装置２００Ｂは、図２４に示すように、反射型液晶表示パネル１１０と、照明装置（フロントライト）１００とを有している。
【０１３６】
反射型液晶表示パネル１１０は公知の反射型液晶表示パネルであり、典型的には、円偏光板１１４と、反射型液晶表示セル１１６とを有する。反射型液晶表示セル１１８は、一対のガラス基板１１１ａおよび１１１ｂと、一対のガラス基板１１１ａおよび１１１ｂの間に設けられた液晶層１１２とを有し、液晶層１１２を通過する光の偏光状態を変調するとともに、液晶層１１２のフロントライト１００とは反対側に反射電極１１３を有し、液晶層１１２を通過した光をフロントライト１００側に反射する。円偏光板１１４は、偏光板と、λ／２板と、λ／４板とが一体に貼り合わされて構成されている。本実施形態においては、この円偏光板１１４は、導光板２０の出射面２２ｅに貼りつけられている。このように、導光板２０の出射面２２ｅに円偏光板１１４が貼りつけられていると、出射面２２ｅにおける表面反射が抑制される。
【０１３７】
照明装置１００は、光源１０と、導光板２０とを備える。光源１０として、ここでは、蛍光管を用いる。勿論、これに限定されず、ＬＥＤ（発光ダイオード）や、ＥＬ（エレクトロルミネッセンス）素子などを用いてもよい。光源１０を囲むように、光源１０から出射された光を導光板２０の第１側面２２ａに効率よく入射させる光反射シート１２が設けられている。また、導光板２０としては、図１５（ｄ）に示した導光板２０Ｃを用いる。導光板２０Ｃは、透明入力装置（タッチパネル）としても機能し、上部電極フィルム３６が押圧されることによる変形に応じて、情報が入力される。
【０１３８】
本実施形態においては、第１導光体２６として、ポリカーボネートを押し出し成形することによって形成された屈折率が約１．５９の第１導光体２６を用い、第２導光体２７として、ガラスからなる屈折率が約１．５３の第２導光体２７を用いる。さらに、接着層２８として、屈折率が約１．５９の紫外線硬化樹脂を用いる。本実施形態の反射型液晶表示装置２００Ｂにおいては、第１導光体２６と、接着層２８とは、互いに屈折率がほぼ等しいので、屈折やモアレ縞、回折などによって、照明光に悪影響が及ぼされることがない。そのため、高品位な表示が実現される。なお、上述の材料からなる導光板２０の臨界角θは、約４０°である。
【０１３９】
本実施形態においては、第１導光体２６の表面２６ａは、傾斜領域２６ａ１において出射面２２ｅに対して約４５°傾斜するように形成されており、この傾斜領域２６ａ１に、アルミニウムからなる反射膜２５がマスクを介した蒸着によって形成されている。このように形成された反射膜２５の接線が出射面２２ｅとなす角αは約４５°であり、一方、導光板２０の臨界角θは約４０°である。従って、本実施形態の反射型液晶表示装置２００Ｂにおいては、反射膜２５の接線が出射面２２ｅとなす角αと導光板２０の臨界角θとが上記式（２）を満足する。従って、主光線が出射面２２ｅから効率よく出射されて光利用効率が向上するとともに、観察者側からの光が反射膜２５によって反射されて対向面２２ｆから出射されることによる表示品位の低下が抑制される。
【０１４０】
また、反射膜２５は、図２５に示すように出射面２２ｅの法線方向から見た形状が島状（点状）に形成されており、反射膜２５の幅ａ（傾斜領域２６ａ１の繰り返し方向に沿った反射膜２５の幅）＝０．１ｍｍ、周期Ｐ＝０．４５ｍｍで周期的に配列されている。従って、反射膜２５を出射面に射影した面積Δｓの総和ΣΔｓの、導光板２０の出射面２２ｅの面積Ｓに対する割合は、下式（５）に示すように、約４％である。アルミニウムからなる反射膜２５の反射率ｒ（傾斜角α＝４５°）は、約９０％であるので、複数の反射膜２５の反射率Ｒ（＝ΣΔｓ／Ｓ・ｒ）は、約３．６％であり、従来の照明装置と保護板とを組み合わせたものよりも明るい表示が実現される。
【０１４１】
ΣΔｓ／Ｓ＝π・（ａ／２）2／Ｐ2≒０．０４          （５）
第１導光体２６の表面２６ａの傾斜領域２６ａ１の幅Ａ（傾斜領域２６ａ１の繰り返し方向に沿った傾斜領域２６ａ１の幅）は、０．１１ｍｍであり、反射膜２５の幅ａ（＝０．１ｍｍ）よりも広い。そのため、反射膜２５の全ての部分が、導光板２０内部を伝搬する主光線を出射面２２ｅに向けて出射させる機能を果たすので、導光板２０の光透過率の不要な低下が防止され、より明るい表示が実現される。
【０１４２】
（実施形態３）
図２７、図２８および図２９を参照しながら、本発明による実施形態３の反射型液晶表示装置２００Ｃを説明する。図２７は、反射型液晶表示装置２００Ｃを模式的に示す断面図であり、図２８は、反射型液晶表示装置２００Ｃが有する照明装置１００を模式的に示す上面図であり、図２９は、反射型液晶表示装置２００Ｃが有する照明装置１００を模式的に示す斜視図である。
【０１４３】
反射型液晶表示装置２００Ｃは、図２７に示すように、反射型液晶表示パネル１１０と、照明装置（フロントライト）１００とを有している。
【０１４４】
反射型液晶表示パネル１１０は公知の反射型液晶表示パネルであり、典型的には、円偏光板１１４と、反射型液晶表示セル１１６とを有する。反射型液晶表示セル１１６は、一対のガラス基板１１１ａおよび１１１ｂと、一対のガラス基板１１１ａおよび１１１ｂの間に設けられた液晶層１１２とを有し、液晶層１１２を通過する光の偏光状態を変調するとともに、液晶層１１２のフロントライト１００とは反対側に反射電極１１３を有し、液晶層１１２を通過した光をフロントライト１００側に反射する。円偏光板１１４は、偏光板と、λ／２板と、λ／４板とが一体に貼り合わされて構成されている。
【０１４５】
照明装置１００は、光源１０と、導光板２０とを備える。光源１０として、ここでは、蛍光管を用いる。勿論、これに限定されず、ＬＥＤ（発光ダイオード）や、ＥＬ（エレクトロルミネッセンス）素子などを用いてもよい。光源１０を囲むように、光源１０から出射された光を導光板２０の第１側面２２ａに効率よく入射させる光反射シート１２が設けられている。また、導光板２０としては、図１３（ｄ）に示した導光板２０Ａ’を用いる。
【０１４６】
本実施形態においては、第１導光体２６として、ポリメチルメタクリレートを押し出し成形することによって形成された屈折率が約１．４９の第１導光体２６を用い、第２導光体２７として、同様にポリメチルメタクリレートを押し出し成形することによって形成された屈折率が約１．４９の第２導光体２７を用いる。さらに、接着層２８として、屈折率が約１．４９のアクリル系粘着剤を用いる。
【０１４７】
本実施形態の反射型液晶表示装置２００Ｃにおいては、このように、第１導光体２６、接着層２８および第２導光体２７の屈折率が互いにほぼ等しく、第１導光体２６、接着層２８および第２導光体２７が光学的にほぼ一体であるので、照明光に悪影響をおよぼす光学的な現象がそれぞれの界面において発生しない。そのため、高品位な表示が実現される。なお、上述の材料からなる導光板２０の臨界角θは、約４２°である。
【０１４８】
本実施形態では、第１導光体２６の表面２６ａは、傾斜領域２６ａ１において出射面２２ｅに対して約４５°傾斜するように形成されており、この傾斜領域２６ａ１に、誘電体膜であるＡｌ2Ｏ3からなる反射膜２５が蒸着によって形成されている。ここでは、Ａｌ2Ｏ3からなる誘電体膜が厚さ１１０ｎｍで形成されており、反射膜２５は、光源１０から導光板２０内部に入射した光のうち、Ｓ偏光を選択的に反射する。従って、照明装置１００からは、反射膜２５の繰り返し方向に平行な偏光方向の光がほとんど出射せず、これに直交する偏光方向の光が効率よく出射する。勿論、誘電体膜の材料としては、上述したＡｌ2Ｏ3に限定されず、ＭｇＦ2、ＳｉＯ2などを用いてもよいし、反射膜２５が誘電体多層膜である構成としてもよい。
【０１４９】
また、本実施形態では、反射膜２５の接線が出射面２２ｅとなす角αは約４５°であり、一方、導光板２０の臨界角θは約４２°である。従って、本実施形態の反射型液晶表示装置２００Ｃにおいては、反射膜２５の接線が出射面２２ｅとなす角αと導光板２０の臨界角θとが上記式（２）を満足する。従って、主光線が出射面２２ｅから効率よく出射されて光利用効率が向上するとともに、観察者側からの光が反射膜２５によって反射されて対向面２２ｆから出射されることによる表示品位の低下が抑制される。
【０１５０】
さらに、反射膜２５は、図２９に示すように、第１導光体２６の表面２６ａの傾斜領域２６ａ１の全面に形成されており、図２８に示すように、出射面２２ｅの法線方向から見て全面に一様に形成されている。従って、反射膜２５を出射面に射影した面積Δｓの総和ΣΔｓの、出射面２２ｅの面積Ｓに対する割合は１００％である。誘電体膜であるＡｌ2Ｏ3からなる反射膜２５の反射率ｒ（傾斜角α＝４５°）は、後述するように最大で約３％であるので、複数の反射膜２５の反射率Ｒ（＝ΣΔｓ／Ｓ・ｒ）は約３％であり、従来の照明装置と保護板とを組み合わせたものよりも明るい表示が実現される。
【０１５１】
なお、本実施形態の反射型液晶表示装置２００Ｃにおいては、導光板２０の出射面２２ｅに反射防止処理１１８が施されており、導光板２０内部の光が出射面２２ｅから出射する際の、出射面２２ｅにおける表面反射が抑制される。反射防止処理としては、例えば、導光板２０の出射面２２ｅ上に、蒸着やスパッタリング法を用いて、膜厚が約０．１μｍのＭｇＦ2、ＳｉＯ2などからなる反射防止層を形成する方法を用いることができる。
【０１５２】
上述したように、本実施形態の反射型液晶表示装置２００Ｃが有する照明装置１００からは、反射膜２５の繰り返し方向と直交する偏光方向の光が多く出射する。従って、反射型液晶表示パネル１１０の円偏光板１１４を構成する偏光板の透過軸を反射膜２５の繰り返し方向に直交する方向と一致させるか、あるいは、反射膜２５の繰り返し方向に直交する方向の偏光を位相差板で回転させてその偏光方向をこの偏光板の透過軸と一致させることによって、偏光板による光の吸収を抑制し、高輝度化を図ることができる。
【０１５３】
なお、特開平９−５７３９号公報には、偏光を制御して照明光を出射させるバックライトおよびこれを備える透過型液晶表示装置が開示されている。図４１は、特開平９−５７３９号公報に開示されている透過型液晶表示装置８５０を模式的に示す断面図である。
【０１５４】
図４１に示すように、透過型液晶表示装置８５０は、透過型液晶表示パネル８３０と、透過型液晶表示パネル８３０の観察者とは反対側に配置されたバックライト８００とを有している。バックライト８００は、光源８１０と、導光板８２０と、導光板８２０の光源８１０とは反対側に設けられたλ／４板（１／４波長板）８１４および反射部材８１５とを有している。
【０１５５】
導光板８２０は、光源８１０側の第１側面（入射側面）８２２ａと、第１側面８２２ａに対向する第２側面（対向側面）８２２ｂと、光源８１０から入射した光を出射する出射面８２２ｃと、出射面８２２ｃに対向する対向面８２２ｄとを有している。また、導光板８２０は、導光シート８２５と導光体８２６とが貼り合わされて形成されており、導光シート８２５は、互いに屈折率が異なるアモルファス層８２５ａおよび８２５ｂが所定の角度をなして交互に積層されて構成されている。
【０１５６】
光源８１０から出射されて入射側面８２２ａから導光板８２０内部に入射した光は、対向面８２２ｄと出射面８２２ｃとで全反射を繰り返しながら第２側面８２２ｂに向けて伝搬する。導光板８２０内部を伝搬する光の一部は、導光シート８２５を構成するアモルファス層８２５ａと８２５ｂとの界面で反射され、出射面８２２ｃから出射されて透過型液晶表示パネル８３０を照明する。
【０１５７】
互いに屈折率の異なるアモルファス層間の界面では、偏光方向によって反射率が異なることが一般に知られており、屈折率の異なるアモルファス層間の界面にブルースター角と呼ばれる特定の入射角で光が入射すると、Ｐ偏光の反射率が０となり、Ｓ偏光のみが反射する。
【０１５８】
従って、導光シート８２５を構成するアモルファス層８２５ａおよび８２５ｂを、導光板８２０の出射面８２２ｃに対してブルースター角に近い角度をなすように積層することによって、アモルファス層８２５ａおよび８２５ｂの繰り返し方向と平行な偏光方向の光の反射率を低く、これに直交する偏光方向の光の反射率を高くすることができ、導光板８２０から出射される照明光に偏光特性を持たせることができる。
【０１５９】
導光板８２０の第２側面（対向側面）８２２ｂ側に設けられたλ／４板（１／４波長板）８１４と反射部材８１５は、導光板８２０の出射面８２２ｃから出射されずに第２側面８２２ｂに到達した光の偏光方向を回転させて再び導光板８２０内部に入射させることによって光の利用効率の向上を図るために設けられている。
【０１６０】
透過型液晶表示パネル８３０としては、一般に、偏光板を備えたものが用いられるが、透過型液晶表示装置８５０においては、上述したように照明装置８００から偏光（偏光方向）が制御された照明光が出射するので、偏光板での光の吸収を抑制することができ、透過型液晶表示装置８５０の高輝度化が実現される。
【０１６１】
なお、導光シート８２５は、図４２に示すように、多数のアモルファス層の積層体８２５’、すなわち、所定の屈折率を有し、所定の厚さに形成されたフィルムを順次接着して貼り重ねたフィルム積層体８２５’を作製した後、所定の角度と厚さで斜めに切断することによって製造される。
【０１６２】
しかしながら、特開平９−５７３９号公報に開示されているバックライト８００および透過型液晶表示装置８５０には、以下のような問題がある。
【０１６３】
上記公報に開示されているバックライト８００においては、照明光は、導光シート８２５内に積層されたアモルファス層８２５ａおよび８２５ｂ間の界面での反射によって出射する。ところが、アモルファス層の屈折率差による反射の反射率は非常に低いので、導光板８２０の内部を伝搬する光を効率よく照明光として出射させることができない。また、アモルファス層間の界面でのＰ偏光とＳ偏光との反射率の差はさほど大きくないので、出射する照明光の偏光方向に応じた光量の差を大きくすることができない。
【０１６４】
さらに、導光シート８２５を製造するためのフィルム積層体８２５’は、製造工程において数百〜数千枚のフィルムを貼り重ねて所定の角度で斜めに切断することを必要とするので、製造工程が非常に煩雑となる。また、フィルム積層体８２５’を斜めに切断するので、フィルム積層体８２５’全体を利用することができずに無駄が生じてしまう。
【０１６５】
これに対して、実施形態３の反射型液晶表示装置２００Ｃが有する照明装置１００では、反射膜２５として透明な誘電体膜が用いられ、この誘電体膜と第１導光体２６（または接着層２８）との界面での反射によって照明光が出射するので、Ｐ偏光とＳ偏光との反射率の差を大きくし、照明光を効率よく出射させることができる。また、反射型液晶表示装置２００Ｃの照明装置１００が有する導光板２０は、例えば図１３（ａ）〜（ｄ）に示したような簡便な製造プロセスで製造することができる。
【０１６６】
ここで、透明な誘電体膜または透明な誘電体多層膜からなる反射膜２５の好ましい厚さの範囲を説明する。
【０１６７】
誘電体多層膜での反射率の偏光依存性および光の干渉を利用した偏光ビームスプリッタでは、屈折率の異なる誘電体膜を、特定の光の波長λに対してλ／４条件を満たす膜厚で交互に積層することによって、Ｐ偏光の反射率を低いままにＳ偏光の反射率を高く設計できることが知られている（例えば、共立出版株式会社「光学薄膜」第１２６〜１２９ページ）。また、誘電体膜材料についてもＭｇＦ2、ＳｉＯ2、Ａｌ2Ｏ3などさまざまな材料が公知である（例えば、培風館株式会社「応用物理工学選書３  薄膜」第２０３ページ）。
【０１６８】
同様に、第１導光層２０ａ中の反射膜２５として、誘電体膜あるいは誘電体多層膜をλ／４条件を満たす膜厚で形成することによってＰ偏光の反射率を低く、Ｓ偏光の反射率を高く設計することができる。具体的には、図３０に示すように第１側面２２ａから導光板２０の内部に入射した光の主光線Ｌの誘電体膜２５（あるいは誘電体多層膜）に対する入射角をβとするとき、この主光線の誘電体膜２５に対する屈折角γ、誘電体膜２５の厚さｄ、誘電体膜２５の屈折率ｎ、および第１導光層２０ａの屈折率（ここでは第１導光体２６および接着層２８の屈折率）ｎ0が、下式（６）および（７）を満足すればよい。
【０１６９】
ｄ＝λ／（４ｎ・ｃｏｓβ）            （６）
ｎ0・ｓｉｎβ＝ｎ・ｓｉｎγ          （７）
可視光の波長が３８０ｎｍから７８０ｎｍ程度であることを考慮すると、誘電体膜２５（あるいは誘電体多層膜）の厚さｄは、下式（６’）を満足すればよいことがわかる。
【０１７０】
３８０／（４ｎ・ｃｏｓγ）≦ｄ≦７８０／（４ｎ・ｃｏｓγ）    （６’）図３１に、屈折率が１．４９の第１導光層２０ａ（アクリル系樹脂からなる第１導光体２６とアクリル系粘着剤からなる接着層２８とから構成されている）中に、反射膜２５として屈折率が１．６３で厚さが１１０ｎｍのＡｌ2Ｏ3を形成した場合における、波長が５５０ｎｍの光の反射率の偏光依存性を示す。図３１は、Ｐ偏光とＳ偏光とについて、反射率（％）と入射／反射角（ｄｅｇ）との関係を示すグラフである。また、比較のために、光の干渉を考慮しないときの反射率の偏光依存性を図３２および図３３に示す。図３２は、屈折率が１．４９の媒質から屈折率が１．６３の媒質に光が入射した場合を示し、図３３は、屈折率が１．６３の媒質から屈折率が１．４９の媒質に光が入射した場合を示す。光の干渉を考慮しないときの反射率は、上記特開平９−５７３９号公報に開示されたバックライト８００を構成する導光シート８２５中のアモルファス層間の界面での反射率に相当する。
【０１７１】
図３１、図３２および図３３に示したように、Ｐ偏光の反射率が０となる入射角、すなわち、ブルースター角の近傍において、誘電体膜でのＳ偏光の反射率はアモルファス層間界面でのＳ偏光の反射率よりも高く、さらに、Ｐ偏光とＳ偏光との反射率の差も大きい。従って、反射膜２５として、Ｓ偏光を選択的に反射する誘電体膜（あるいは誘電体多層膜）を用いる本実施形態の照明装置１００は、特開平９−５３７９号公報に開示されているバックライト８００に比べて、照明光を効率よく出射させることができ、照明光の偏光方向に応じた光量の差を大きくすることができる。
【０１７２】
なお、上述したように照明光に偏光特性を持たせる本実施形態の照明装置１００によって、偏光板を備えた液晶表示パネルを照明する場合には、照明光の偏光方向と、偏光板の偏光軸との関係を考慮する必要がある。具体的には、照明装置１００からは、反射膜２５の繰り返し方向に直交する方向の偏光が多く出射するので、反射膜２５の繰り返し方向に直交する方向と、偏光板の透過軸とを一致させることが好ましい。あるいは、反射膜２５の繰り返し方向に直交する方向の偏光を位相差板で回転させることによって、その偏光方向を偏光板の透過軸と一致させることが好ましい。
【０１７３】
（実施形態４）
図３４、図３５、および図３６を参照しながら、本発明による実施形態４の反射型液晶表示装置２００Ｄを説明する。図３４は、反射型液晶表示装置２００Ｄを模式的に示す断面図であり、図３５は、反射型液晶表示装置２００Ｄが有する照明装置１００を模式的に示す上面図であり、図３６は、反射型液晶表示装置２００Ｄが有する照明装置１００を模式的に示す斜視図である。
【０１７４】
反射型液晶表示装置２００Ｄは、図３４に示すように、反射型液晶表示パネル１１０と照明装置（フロントライト）１００とを有している。
【０１７５】
反射型液晶表示パネル１１０は公知の反射型液晶表示パネルであり、典型的には、円偏光板１１４と、反射型液晶表示セル１１６とを有する。反射型液晶表示セル１１６は、一対のガラス基板１１１ａおよび１１１ｂと、一対のガラス基板１１１ａおよび１１１ｂの間に設けられた液晶層１１２とを有し、液晶層１１２を通過する光の偏光状態を変調するとともに、液晶層１１２のフロントライト１００とは反対側に反射電極１１３を有し、液晶層１１２を通過した光をフロントライト１００側に反射する。円偏光板１１４は、偏光板と、λ／２板と、λ／４板とが一体に貼り合わされて構成されている。本実施形態においては、この円偏光板１１４は、導光板２０の出射面２２ｅに貼りつけられている。このように導光板２０の出射面２２ｅに円偏光板１１４が貼りつけられていると、出射面２２ｅにおける表面反射が抑制される。
【０１７６】
照明装置１００は、光源１０と、導光板２０とを備える。光源１０として、ここでは、蛍光管を用いる。勿論、これに限定されず、ＬＥＤ（発光ダイオード）やＥＬ（エレクトロルミネセンス）素子などを用いてもよい。光源１０を囲むように、光源１０から出射された光を導光板２０の第１側面２２ａに効率よく入射させる光反射シート１２が設けられている。また、導光板２０としては、図１６（ｄ）に示した導光板２０Ｄを用いる。
【０１７７】
本実施形態においては第１導光体２６として、ＪＳＲ（株）製の透明樹脂であるアートンを射出成形することによって形成された屈折率が約１．５１の第１導光体２６を用いる。また、第２導光体２７として、第１導光体２６の表面２６ａに塗布された屈折率が約１．５１の紫外線硬化樹脂を硬化することによって形成された第２導光体２７を用いる。従って、本実施形態では、第１導光体２６と第２導光体２７の間の接着層は省略される。
【０１７８】
本実施形態の反射型液晶表示装置２００Ｄにおいては、このように、第１導光体２６および第２導光体２７の屈折率が互いにほぼ等しく、第１導光体２６と第２導光体２７とが光学的にほぼ一体であるので、照明光に悪影響をおよぼす光学的な現象が界面において発生しない。そのため、高品位な表示が実現される。なお、上述の材料からなる導光板２０Ｄの臨界角θは、約４１°である。
【０１７９】
本実施形態では、第１導光体２６の表面２６ａは、傾斜領域２６ａ１において出射面２２ｅに対して約４５°傾斜するように形成されており、傾斜領域２６ａ１と平行領域２６ａ３とが１：１の割合で配置されるように形成されている。なお、傾斜領域２６ａ１と平行領域２６ａ３とが１：１の割合で配置されるとは、傾斜領域２６ａ１の繰り返し方向に沿った（あるいは出射面２２ｅの法線方向から見たときの）傾斜領域２６ａ１の幅と平行領域２６ａ３の幅とが１：１であることをいう。
【０１８０】
傾斜領域２６ａ１および平行領域２６ａ３に、誘電体膜であるＭｇＯからなる反射膜２５が蒸着によって形成されている。ここでは、ＭｇＯからなる反射膜２５は、厚さ１００ｎｍで形成されており、その屈折率は１．７５である。
【０１８１】
図３７に、屈折率が１．５１の第１導光層２０ａ（アートンからなる第１導光体２６と紫外線硬化樹脂からなる第２導光体２７とから構成されている）中に、反射膜２５として屈折率が１．７５で厚さが１００ｎｍのＭｇＯを形成した場合における、波長が５５０ｎｍの光の反射率の偏光依存性を示す。図３７は、Ｐ偏光とＳ偏光とについて、反射率（％）と入射／反射角（ｄｅｇ）との関係を示すグラフである。
【０１８２】
反射膜２５の反射率は、図３７に示したように、Ｓ偏光が選択的に反射されるような偏光依存性を有しているので、光源１０から導光体２０の内部に入射した光のうち、ほぼＳ偏光のみが傾斜領域の反射膜２５ａで反射されて出射面２２ｅから出射する。したがって、照明装置１００からは、反射膜２５の繰り返し方向に平行な偏光方向の光がほとんど出射せず、これに直交する偏光方向の光が効率よく出射する。勿論、誘電体膜の材料としてはＳｉＯ、ＺｒＯ2などを用いてもよいし、反射膜２５が誘電体多層膜である構成としてもよい。
【０１８３】
また、本実施形態では、第１導光体２６の傾斜領域２６ａ１に形成された反射膜２５ａの接線が出射面２２ｅとなす角度αは約４５°であり、一方、導光板２０Ｄの臨界角θは約４１°である。したがって、本実施形態の反射型液晶表示装置２００Ｄにおいては、反射膜２５ａの接線が出射面２２ｅとなす角αと導光板２０の臨界角θとが式（２）を満足する。したがって、主光線が出射面２２ｅから効率よく出射されて光利用効率が向上するとともに、観察者側からの光が反射膜２５ａによって反射されて対向面２２ｆから出射されることによる表示品位の低下が抑制される。
【０１８４】
さらに、反射膜２５は、図３５に示すように、出射面２２ｅの法線方向から見て全面に一様に形成されており、図３６に示すように、第１導光体２６の表面２６ａの傾斜領域２６ａ１と平行領域２６ａ３の全面に形成されている。ここで、出射面２２ｅに対して約４５°傾斜した傾斜領域２６ａ１に形成された反射膜２５ａの反射率ｒは、図３７からわかるように、最大で約７％であり、出射面２２ｅと略平行な平行領域２６ａ３上に形成された反射膜２５ｂの反射率ｒ’は、入射／反射角が０°での反射率であるので約２％である。また、傾斜領域２６ａ１と平行領域２６ａ３とは、出射面２２ｅの法線方向から見て１：１の割合で形成されているので、反射膜２５ａを出射面２２ｅに射影した面積Δｓの総和ΣΔｓ、および反射膜２５ｂを出射面２２ｅに射影した面積Δｓ’の総和ΣΔｓ’の、出射面２２ｅの面積Ｓに対する割合は、それぞれ５０％である。したがって、複数の反射膜２５による反射率Ｒ（＝ΣΔｓ／Ｓ・ｒ＋ΣΔｓ’／Ｓ・ｒ’）は約４．５％であり、従来の照明装置と保護板とを組み合わせたものよりも明るい表示が実現される。
【０１８５】
なお、上述したように照明光に偏光特性を持たせる本実施形態の照明装置１００によって偏光板を備えた液晶表示パネルを照明する場合には、照明光の偏光方向と、偏光板の偏光軸との関係を考慮する必要がある。具体的には、照明装置１００からは、反射膜２５の繰り返し方向に直交する方向の偏光が多く出射するので、反射膜２５の繰り返しの方向に直交する方向と、偏光板の透過軸とを一致させることが好ましい。あるいは、反射膜２５の繰り返しの方向に直交する方向の偏光を位相差板で回転させることによって、その偏光方向を偏光板の透過軸と一致させることが好ましい。
【０１８６】
【発明の効果】
本発明によると、信頼性の高い照明装置が提供され、この照明装置を用いると、高品位の表示が可能な表示装置が提供される。
【０１８７】
本発明による照明装置は、液晶表示装置のバックライトまたはフロントライトとして好適に用いることができる。本発明による照明装置においては、導光板内部の反射膜の配置を適切に設定することによって所望の特性の照明光が得られ、本発明による照明装置は、特に、反射型表示装置のフロントライトとして好適に用いることができる。
【図面の簡単な説明】
【図１】本発明による実施形態の照明装置１００を模式的に示す断面図である。
【図２】本発明による実施形態の照明装置１００を模式的に示す上面図である。
【図３】（ａ）〜（ｃ）は、本発明による実施形態の照明装置１００の導光板２０が有する反射膜２５の好ましい配置について説明するための図である。
【図４】（ａ）〜（ｃ）は、本発明による実施形態の照明装置１００の導光板２０が有する反射膜２５の好ましい配置について説明するための図である。
【図５】本発明による実施形態の照明装置１００の導光板２０の光透過率を測定する方法を模式的に示す図である。
【図６】本発明による実施形態の照明装置１００の導光板２０が有する反射膜２５の好ましい配置について説明するための図である。
【図７】本発明による実施形態の照明装置１００の導光板２０が有する反射膜２５の反射率ｒの定義を説明するための図である。
【図８】本発明による実施形態の照明装置１００の導光板２０が有する反射膜２５の他の形状を模式的に示す上面図である。
【図９】（ａ）および（ｂ）は、本発明による実施形態の照明装置１００の導光板２０が有する反射膜２５の他の配置を模式的に示す上面図である。
【図１０】本発明による実施形態の照明装置１００に好適に用いられる導光板２０Ａの構造およびその製造方法を模式的に示す図である。
【図１１】反射膜２５を形成する際の、第１導光体２６に対するマスク４０の配置例を示す図である。
【図１２】反射膜２５の幅ａが傾斜領域２６ａ１の幅Ａよりも広い場合と、反射膜２５の幅ａが傾斜領域２６ａ１の幅Ａ以下である場合とについて、傾斜領域２６ａ１に形成される反射膜２５を模式的に示す図である。
【図１３】本発明による実施形態の照明装置１００に好適に用いられる導光板２０Ａ’の構造およびその製造方法を模式的に示す図である。
【図１４】本発明による実施形態の照明装置１００に好適に用いられる他の導光板２０Ｂの構造およびその製造方法を模式的に示す図である。
【図１５】本発明による実施形態の照明装置１００に好適に用いられる他の導光板２０Ｃの構造およびその製造方法を模式的に示す図である。
【図１６】本発明による実施形態の照明装置１００に好適に用いられる他の導光板２０Ｄの構造およびその製造方法を模式的に示す図である。
【図１７】導光板２０Ｄを備えた照明装置１００を模式的に示す断面図である。
【図１８】導光板２０Ｄを備えた照明装置１００において、観察者側から入射する光が反射膜２５ｂにより反射される様子を模式的に示す図である。
【図１９】（ａ）および（ｂ）は、第１導光体２６の表面２６ａが出射面２２ｅ近傍に位置している場合の光の伝搬の様子を模式的に示す図であり、（ａ）は、平行領域２６ａ３が傾斜領域２６ａ１よりも出射面２２ｅ側に位置している場合を示し、（ｂ）は、傾斜領域２６ａ１が平行領域２６ａ３よりも出射面２２ｅ側に位置している場合を示す。
【図２０】（ａ）および（ｂ）は、第１導光体２６の表面２６ａが対向面２２ｆ近傍に位置している場合の光の伝搬の様子を模式的に示す図であり、（ａ）は、平行領域２６ａ３が傾斜領域２６ａ１よりも対向面２２ｆ側に位置している場合を示し、（ｂ）は、傾斜領域２６ａ１が平行領域２６ａ３よりも対向面２２ｆ側に位置している場合を示す。
【図２１】本発明による実施形態１の反射型液晶表示装置２００Ａを模式的に示す断面図である。
【図２２】本発明による実施形態１の反射型液晶表示装置２００Ａが有する照明装置１００を模式的に示す上面図である。
【図２３】本発明による実施形態１の反射型液晶表示装置２００Ａが有する照明装置１００を模式的に示す斜視図である。
【図２４】本発明による実施形態２の反射型液晶表示装置２００Ｂを模式的に示す断面図である。
【図２５】本発明による実施形態２の反射型液晶表示装置２００Ｂが有する照明装置１００を模式的に示す上面図である。
【図２６】本発明による実施形態２の反射型液晶表示装置２００Ｂが有する照明装置１００を模式的に示す斜視図である。
【図２７】本発明による実施形態３の反射型液晶表示装置２００Ｃを模式的に示す断面図である。
【図２８】本発明による実施形態３の反射型液晶表示装置２００Ｃが有する照明装置１００を模式的に示す上面図である。
【図２９】本発明による実施形態３の反射型液晶表示装置２００Ｃが有する照明装置１００を模式的に示す斜視図である。
【図３０】反射型液晶表示装置２００Ｃが有する照明装置１００の導光板２０内部に入射した光が伝搬する様子を模式的に示す図である。
【図３１】屈折率が１．４９の第１導光層２０ａ中に、反射膜２５として屈折率が１．６３で厚さが１１０ｎｍのＡｌ2Ｏ3を形成した場合における、波長が５５０ｎｍの光の反射率の偏光依存性を示すグラフである。
【図３２】屈折率が１．４９の媒質から屈折率が１．６３の媒質に光が入射した場合において、光の干渉を考慮しないときの光（波長が５５０ｎｍ）の反射率の偏光依存性を示すグラフである。
【図３３】屈折率が１．６３の媒質から屈折率が１．４９の媒質に光が入射した場合において、光の干渉を考慮しないときの光（波長が５５０ｎｍ）の反射率の偏光依存性を示すグラフである。
【図３４】本発明による実施形態４の反射型液晶表示装置２００Ｄを模式的に示す断面図である。
【図３５】本発明による実施形態４の反射型液晶表示装置２００Ｄが有する照明装置１００を模式的に示す上面図である。
【図３６】本発明による実施形態４の反射型液晶表示装置２００Ｄが有する照明装置１００を模式的に示す斜視図である。
【図３７】  屈折率が１．５１の第１導光層２０ａ中に、反射膜２５として屈折率が１．７５で厚さが１００ｎｍのＭｇＯを形成した場合における、波長が５５０ｎｍの光の反射率の偏光依存性を示すグラフである。
【図３８】従来の照明装置４００を備える反射型液晶表示装置４５０を模式的に示す断面図である。
【図３９】（ａ）は、従来の照明装置５００を備える反射型液晶表示装置５５０を模式的に示す断面図であり、（ｂ）は、従来の照明装置５００’を備える反射型液晶表示装置５５０’を模式的に示す断面図である。
【図４０】（ａ）は、保護板６３０を備える従来の表示装置６００を模式的に示す断面図であり、（ｂ）は、タッチパネル７３０を備える従来の表示装置７００を模式的に示す断面図である。
【図４１】従来の照明装置８００を備える透過型液晶表示装置８５０を模式的に示す断面図である。
【図４２】従来の照明装置８００が備える導光板８２０の導光シート８２５を製造する際に用いるフィルム積層体８２５’を模式的に示す斜視図である。
【符号の説明】
１０    光源
１２    反射部材
２０、２０Ａ、２０Ａ’、２０Ｂ、２０Ｃ、２０Ｄ    導光板
２０ａ    第１導光層
２０ｂ    第２導光層
２２ａ    第１側面
２２ｂ    第２側面
２２ｃ    第３側面
２２ｄ    第４側面
２２ｅ    出射面
２２ｆ    対向面
２５、２５ａ、２５ｂ    反射膜
２６    第１導光体
２６ａ１    傾斜領域
２６ａ２    垂直領域
２６ａ３    平行領域
２７    第２導光体
２８    接着層
１００    照明装置
１１０    反射型液晶表示パネル
２００Ａ、２００Ｂ、２００Ｃ、２００Ｄ    反射型液晶表示装置
【図１】
0004059692.tif 000002
【図２】
0004059692.tif 000003
【図３】
0004059692.tif 000004
【図４】
0004059692.tif 000005
【図５】
0004059692.tif 000006
【図６】
0004059692.tif 000007
【図７】
0004059692.tif 000008
【図８】
0004059692.tif 000009
【図９】
0004059692.tif 000010
【図１０】
0004059692.tif 000011
【図１１】
0004059692.tif 000012
【図１２】
0004059692.tif 000013
【図１３】
0004059692.tif 000014
【図１４】
0004059692.tif 000015
【図１５】
0004059692.tif 000016
【図１６】
0004059692.tif 000017
【図１７】
0004059692.tif 000018
【図１８】
0004059692.tif 000019
【図１９】
0004059692.tif 000020
【図２０】
0004059692.tif 000021
【図２１】
0004059692.tif 000022
【図２２】
0004059692.tif 000023
【図２３】
0004059692.tif 000024
【図２４】
0004059692.tif 000025
【図２５】
0004059692.tif 000026
【図２６】
0004059692.tif 000027
【図２７】
0004059692.tif 000028
【図２８】
0004059692.tif 000029
【図２９】
0004059692.tif 000030
【図３０】
0004059692.tif 000031
【図３１】
0004059692.tif 000032
【図３２】
0004059692.tif 000033
【図３３】
0004059692.tif 000034
【図３４】
0004059692.tif 000035
【図３５】
0004059692.tif 000036
【図３６】
0004059692.tif 000037
【図３７】
0004059692.tif 000038
【図３８】
0004059692.tif 000039
【図３９】
0004059692.tif 000040
【図４０】
0004059692.tif 000041
【図４１】
0004059692.tif 000042
【図４２】
0004059692.tif 000043